(57)【特許請求の範囲】
【請求項１】
ダウンリンク制御情報（ＤＣＩ）の伝送方法であって、
ユーザー装置（ＵＥ）が、事前に決めた規則或いは高位層シグナリングにより取得した設定情報に基づいて、スケジューリング物理アップリンク共有チャネル（ＰＵＳＣＨ）の物理ダウンリンク制御チャネル（ＰＤＣＣＨ）に用いられるＤＣＩフォーマット ｆｏｒｍａｔに、アップリンクインデックス（ＵＬ ｉｎｄｅｘ）とダウンリンク割り当てインデックスＤＡＩのうちの少なくとも１つが含まれるかを確定するステップと、
ＵＥが、前記確定結果に基づいて、現在ダウンリンクサブフレームにおける、検出しようとするＰＤＣＣＨに用いられるＤＣＩ ｆｏｒｍａｔの伝送ビット数をさらに確定し、前記確定したＤＣＩ ｆｏｒｍａｔの伝送ビット数に基づいて、ＰＤＣＣＨを検出するステップとを備え、
ここで、ＵＥのアグリゲーションキャリアには、異なる時分割複信（ＴＤＤ）アップリンク/ダウンリンク構造を有するキャリアが少なくとも２つが含まれ、当該キャリアのＴＤＤアップリンク/ダウンリンク構造は、システム情報により通知されることを特徴とするダウンリンク制御情報（ＤＣＩ）の伝送方法。
【請求項２】
ＣＳＳにおいて、ＵＥは、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
ＵＥは、いつもＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、ＵＥは、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、ＵＥは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
及び/又は、
ＵＥ特定サーチ空間において、ＵＥが、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、
ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定し、
或いは、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定することを特徴とする請求項１に記載のダウンリンク制御情報（ＤＣＩ）の伝送方法。
【請求項３】
ＵＥは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
ここで、第１ＤＡＩ条件は、ＵＥの少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであるか、或いは、第１ＤＡＩ条件は、ＵＥの主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであるか、或いは、第１ＤＡＩ条件は、ＵＥの主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、
第１ＵＬ ｉｎｄｅｘ条件は、ＵＥ の主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであるか、或いは、第１ＵＬ ｉｎｄｅｘ条件は、ＵＥ の主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項２に記載のダウンリンク制御情報（ＤＣＩ）の伝送方法。
【請求項４】
ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用し、
仕様１、ＵＥは、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
仕様２、ＵＥは、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
仕様３、ＵＥは、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、
仕様４、ＵＥは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
仕様４は、  第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定し、
或いは、前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定するものであり、
ここで、第２ＤＡＩ条件は、ＵＥの少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり、或いは、第２ＤＡＩ条件は、ＵＥの少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり、
第２ＵＬ ｉｎｄｅｘ条件は、ＵＥの少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであるか、或いは、第２ＵＬ ｉｎｄｅｘ条件は、ＵＥの少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、  前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であり、
ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する場合、以下いずれか１つの仕様を採用し、
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定し、
或いは、キャリアが前記第３ＵＬ ｉｎｄｅｘ及び第３ＤＡＩ条件を同時に満足しなければ、当該キャリア上のＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定し、
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、  第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項２に記載のダウンリンク制御情報（ＤＣＩ）の伝送方法。
【請求項５】
ＵＥが、前記確定結果に基づいて、現在ダウンリンクサブフレームにおける、検出しようとするＰＤＣＣＨに用いられるＤＣＩ ｆｏｒｍａｔの伝送ビット数をさらに確定し、前記確定された検出しようとするＤＣＩ ｆｏｒｍａｔの伝送ビット数に基づいて、ＰＤＣＣＨを検出することは、
ＵＥは、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、前記ＰＵＳＣＨをスケジューリングするＰＤＣＣＨに用いられるＤＣＩ ｆｏｒｍａｔに含まれる有効ビット数を確定し、
ＵＥは、前記ＰＵＳＣＨをスケジューリングするＰＤＣＣＨに用いられるＤＣＩ ｆｏｒｍａｔに含まれる有効ビット数及び/又は前記検出しようとするＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、前記ＵＥが現在ダウンリンクサブフレームにおいて検出しようとするＰＤＣＣＨに用いられるＤＣＩ ｆｏｒｍａｔに対し、ビットフィリングを行い、ビットフィリングされた各ＤＣＩ ｆｏｒｍａｔに含まれるビット数を、対応するＤＣＩ ｆｏｒｍａｔの伝送ビット数とし、
ＵＥは、ＣＳＳと、ＰＤＣＣＨを検出すべくキャリア上のＵＥ特定サーチ空間において、前記確定された検出しようとするＤＣＩ ｆｏｒｍａｔの伝送ビット数に基づいて、ＰＤＣＣＨを検出することを特徴とする請求項１請求項４のいずれかに記載のダウンリンク制御情報（ＤＣＩ）の伝送方法。
【請求項６】
ダウンリンク制御情報（ＤＣＩ）伝送方法であって、
前記方法は、
基地局が、事前に決めた規則或いは高位層シグナリングによりユーザー装置（ＵＥ）へ送信した設定情報に基づいて、スケジューリング物理アップリンク共有チャネル（ＰＵＳＣＨ）の物理ダウンリンク制御チャネル（ＰＤＣＣＨ）に用いられるＤＣＩ フォーマットｆｏｒｍａｔに、アップリンクインデックス（ＵＬ ｉｎｄｅｘ）とダウンリンク割り当てインデックスＤＡＩのうちの少なくとも１つが含まれるかを確定するステップと、
基地局が、前記確定結果に基づいて、前記ＵＥへ送信すべくＰＤＣＣＨに用いられるＤＣＩ ｆｏｒｍａｔの伝送ビット数をさらに確定し、前記ＤＣＩ ｆｏｒｍａｔの伝送ビット数に基づいて、前記ＰＤＣＣＨを送信するステップとを備え、
ここで、ＵＥのアグリゲーションキャリアに、異なる ＴＤＤアップリンク/ダウンリンク構造を有するキャリアが少なくとも２つが含まれ、当該キャリアのＴＤＤアップリンク/ダウンリンク構造は、システム情報により通知されることを特徴とするダウンリンク制御情報（ＤＣＩ）伝送方法。
【請求項７】
ＣＳＳにおいて、基地局は、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
基地局は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、基地局は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、基地局は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
及び/又は、
ＵＥ特定サーチ空間において、基地局が、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、
ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定し、或いは、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定するを特徴とする請求項６に記載のダウンリンク制御情報（ＤＣＩ）伝送方法。
【請求項８】
基地局は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
ここで、第１ＤＡＩ条件は、ＵＥの少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、或いは、第１ＤＡＩ条件は、ＵＥの主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、或いは、第１ＤＡＩ条件は、ＵＥの主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、
第１ＵＬ ｉｎｄｅｘ条件は、ＵＥ の主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、或いは、第１ＵＬ ｉｎｄｅｘ条件は、ＵＥ の主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項７に記載のダウンリンク制御情報（ＤＣＩ）伝送方法。
【請求項９】
ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用し、
仕様１、基地局は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、
仕様２、基地局は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、
仕様３、基地局は、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、
或いは、
仕様４、基地局は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
仕様４は、
第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、  或いは、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定し、
或いは、前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定するものであり、
ここで、第２ＤＡＩ条件は、ＵＥの少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり、或いは、第２ＤＡＩ条件は、ＵＥの少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり、
第２ＵＬ ｉｎｄｅｘ条件は、ＵＥの少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、或いは、第２ＵＬ ｉｎｄｅｘ条件は、ＵＥの少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であり、
ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する場合、以下いずれか１つの仕様を採用し、
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定し、
或いは、キャリアが前記第３ＵＬ ｉｎｄｅｘ及び第３ＤＡＩ条件を同時に満足しなければ、当該キャリア上のＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定し、
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、
第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項７に記載のダウンリンク制御情報（ＤＣＩ）伝送方法。
【請求項１０】
基地局が、前記確定結果に基づいて、前記ＵＥに送信したＰＤＣＣＨに用いられるＤＣＩ ｆｏｒｍａｔの伝送ビット数をさらに確定し、前記ＤＣＩ ｆｏｒｍａｔの伝送ビット数に基づいて、前記ＰＤＣＣＨを送信することは、
基地局は、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、ＰＵＳＣＨをスケジューリングするＰＤＣＣＨに用いられるＤＣＩ ｆｏｒｍａｔに含まれる有効ビット数を確定し、
基地局は、前記ＰＵＳＣＨをスケジューリングするＰＤＣＣＨに用いられるＤＣＩ ｆｏｒｍａｔに含まれる有効ビット数及び/又はＵＥに送信したＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、ＵＥに送信したＰＤＣＣＨに用いられるＤＣＩ ｆｏｒｍａｔに対してビットフィリングを行い、且つビットフィリングされた各ＤＣＩ ｆｏｒｍａｔに含まれるビット数を、対応するＤＣＩ ｆｏｒｍａｔの伝送ビット数とし、
基地局は、ＣＳＳ及び/又はＰＤＣＣＨを送信すべくキャリア上のＵＥ特定サーチ空間において、確定したＤＣＩ ｆｏｒｍａｔの伝送ビット数に基づいて、ＰＤＣＣＨを送信することを特徴とする請求項６ないし請求項９のいずれかに記載のダウンリンク制御情報（ＤＣＩ）伝送方法。
【請求項１１】
ダウンリンク制御情報（ＤＣＩ）伝送装置であって、
前記装置は、
事前に決めた規則或いは高位層シグナリングにより取得した設定情報に基づいて、スケジューリング物理アップリンク共有チャネル（ＰＵＳＣＨ）の物理ダウンリンク制御チャネル（ＰＤＣＣＨ）に用いられるＤＣＩフォーマット ｆｏｒｍａｔに、アップリンクインデックス（ＵＬ ｉｎｄｅｘ）とダウンリンク割り当てインデックスＤＡＩのうちの少なくとも１つが含まれるかを確定する第１処理ユニットと、
前記確定結果に基づいて、現在ダウンリンクサブフレームにおける、検出しようとするＰＤＣＣＨに用いられるＤＣＩ ｆｏｒｍａｔの伝送ビット数をさらに確定し、前記確定したＤＣＩ ｆｏｒｍａｔの伝送ビット数に基づいて、ＰＤＣＣＨを検出し、ここで、本装置のアグリゲーションキャリアには、異なる時分割複信（ＴＤＤ）アップリンク/ダウンリンク構造を有するキャリアが少なくとも２つが含まれ、当該キャリアのＴＤＤアップリンク/ダウンリンク構造は、システム情報により通知される第２処理ユニットとを備えることを特徴とするダウンリンク制御情報（ＤＣＩ）伝送装置。
【請求項１２】
ＣＳＳにおいて、第１処理ユニットは、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
第１処理ユニットは、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、第１処理ユニットは、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、第１処理ユニットは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
及び/又は、
ＵＥ特定サーチ空間において、第１処理ユニットは、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、
全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定し、或いは、各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定することを特徴とする請求項１１に記載のダウンリンク制御情報（ＤＣＩ）伝送装置。
【請求項１３】
第１処理ユニットは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
ここで、第１ＤＡＩ条件は、少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、或いは、第１ＤＡＩ条件は、主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、或いは、第１ＤＡＩ条件は、主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、
第１ＵＬ ｉｎｄｅｘ条件は、主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、或いは、第１ＵＬ ｉｎｄｅｘ条件は、主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項１２に記載のダウンリンク制御情報（ＤＣＩ）伝送装置。
【請求項１４】
第１処理ユニット全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用し、
仕様１、第１処理ユニットは、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、
或いは、
仕様２、第１処理ユニットは、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
或いは、
仕様３、第１処理ユニットは、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、
或いは、
仕様４、第１処理ユニットは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
仕様４は、
第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定し、或いは、
前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定し、
ここで、第２ＤＡＩ条件は、少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり、或いは、第２ＤＡＩ条件は、少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり
第２ＵＬ ｉｎｄｅｘ条件は、少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであるか、或いは、第２ＵＬ ｉｎｄｅｘ条件は、少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であり、
第１処理ユニットは、各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する場合、以下いずれか１つの仕様を採用し、
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定し、或いは、
キャリアが前記第３ＵＬ ｉｎｄｅｘ及び第３ＤＡＩ条件を同時に満足しなければ、当該キャリア上のＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定し、
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、
第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項１２に記載のダウンリンク制御情報（ＤＣＩ）伝送装置。
【請求項１５】
第２処理ユニット前記確定結果に基づいて、現在ダウンリンクサブフレームにおける、検出しようとするＰＤＣＣＨに用いられるＤＣＩ ｆｏｒｍａｔの伝送ビット数をさらに確定し、前記確定された検出しようとするＤＣＩ ｆｏｒｍａｔの伝送ビット数に基づいて、ＰＤＣＣＨを検出することは、
第２処理ユニットは、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、前記ＰＵＳＣＨをスケジューリングするＰＤＣＣＨに用いられるＤＣＩ ｆｏｒｍａｔに含まれる有効ビット数を確定し、
第２処理ユニットは、前記ＰＵＳＣＨをスケジューリングするＰＤＣＣＨに用いられるＤＣＩ ｆｏｒｍａｔに含まれる有効ビット数及び/又は前記検出しようとするＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、現在ダウンリンクサブフレームにおける、検出しようとするＰＤＣＣＨに用いられるＤＣＩ ｆｏｒｍａｔに対して、ビットフィリングを行い、ビットフィリングされた各ＤＣＩ ｆｏｒｍａｔに含まれるビット数を、対応するＤＣＩ ｆｏｒｍａｔの伝送ビット数とし、
第２処理ユニットは、ＣＳＳと、ＰＤＣＣＨを検出すべくキャリア上のＵＥ特定サーチ空間において、前記確定された検出しようとするＤＣＩ ｆｏｒｍａｔの伝送ビット数に基づいて、ＰＤＣＣＨを検出することを特徴とする請求項１１ないし請求項１４のいずれかに記載のダウンリンク制御情報（ＤＣＩ）伝送装置。
【請求項１６】
ダウンリンク制御情報（ＤＣＩ）伝送装置であって、
前記装置は、
事前に決めた規則或いは高位層シグナリングによりユーザー装置（ＵＥ）へ送信した設定情報に基づいて、スケジューリング物理アップリンク共有チャネル（ＰＵＳＣＨ）の物理ダウンリンク制御チャネル（ＰＤＣＣＨ）に用いられるＤＣＩ フォーマットｆｏｒｍａｔに、アップリンクインデックス（ＵＬ ｉｎｄｅｘ）とダウンリンク割り当てインデックスＤＡＩのうちの少なくとも１つが含まれるかを確定する第１制御ユニットと、
前記確定結果に基づいて、前記ＵＥへ送信すべくＰＤＣＣＨに用いられるＤＣＩ ｆｏｒｍａｔの伝送ビット数をさらに確定し、前記ＤＣＩ ｆｏｒｍａｔの伝送ビット数に基づいて、前記ＰＤＣＣＨを送信し、ここで、ＵＥのアグリゲーションキャリアに、異なるＴＤＤアップリンク/ダウンリンク構造を有するキャリアが少なくとも２つが含まれ、当該キャリアのＴＤＤアップリンク/ダウンリンク構造が、システム情報により通知される第２制御ユニットとを備えることを特徴とするダウンリンク制御情報（ＤＣＩ）伝送装置。
【請求項１７】
ＣＳＳにおいて、第１制御ユニットが、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
第１制御ユニットは、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、第１制御ユニットは、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、第１制御ユニットは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
及び/又は、
ＵＥ特定サーチ空間において、第１制御ユニットが、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、
ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定し、或いは、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する。ことを特徴とする請求項１６に記載のダウンリンク制御情報（ＤＣＩ）伝送装置。
【請求項１８】
第１制御ユニットは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用し、
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、
ここで、第１ＤＡＩ条件は、ＵＥの少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれものであり、或いは、第１ＤＡＩ条件は、ＵＥの主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、或いは、第１ＤＡＩ条件は、ＵＥの主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものであり、
第１ＵＬ ｉｎｄｅｘ条件は、ＵＥ の主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、或いは、第１ＵＬ ｉｎｄｅｘ条件は、ＵＥ の主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項１７に記載のダウンリンク制御情報（ＤＣＩ）伝送装置。
【請求項１９】
第１制御ユニットが、ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用し、
仕様１、第１制御ユニットは、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
仕様２、第１制御ユニットは、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
仕様３、第１制御ユニットは、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、或いは、
仕様４、第１制御ユニットは、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、
前記仕様４は、
第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定し、或いは、
前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定し、
ここで、第２ＤＡＩ条件は、ＵＥの少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり、或いは、第２ＤＡＩ条件は、ＵＥの少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩであり、
第２ＵＬ ｉｎｄｅｘ条件は、ＵＥの少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、或いは、第２ＵＬ ｉｎｄｅｘ条件は、ＵＥの少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であり、
第１制御ユニットは、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する場合、以下いずれか１つの仕様を採用し、
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、そうではなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、或いは、
キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、そうではなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、或いは、
キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定し、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定し、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定し、キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定し、或いは、
キャリアが前記第３ＵＬ ｉｎｄｅｘ及び第３ＤＡＩ条件を同時に満足しなければ、当該キャリア上のＰＵＳＣＨをスケジューリングするＰＤＣＣＨに用いられるＤＣＩ ｆｏｒｍａｔにＤＡＩが含まれないし、ＵＬ ｉｎｄｅｘも含まれないと確定し、
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものであり、
第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものであり、
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造であり、前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造であることを特徴とする請求項１７に記載のダウンリンク制御情報（ＤＣＩ）伝送装置。
【請求項２０】
第２制御ユニットが、前記確定結果に基づいて、前記ＵＥに送信したＰＤＣＣＨに用いられるＤＣＩ ｆｏｒｍａｔの伝送ビット数をさらに確定し、前記ＤＣＩ ｆｏｒｍａｔの伝送ビット数に基づいて、前記ＰＤＣＣＨを送信することは、
第２制御ユニットは、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、ＰＵＳＣＨをスケジューリングするＰＤＣＣＨに用いられるＤＣＩ ｆｏｒｍａｔに含まれる有効ビット数を確定し、
第２制御ユニットは、前記ＰＵＳＣＨをスケジューリングするＰＤＣＣＨに用いられるＤＣＩ ｆｏｒｍａｔに含まれる有効ビット数及び/又はＵＥに送信したＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、ＵＥに送信したＰＤＣＣＨに用いられるＤＣＩ ｆｏｒｍａｔに対してビットフィリングを行い、且つビットフィリングされた各ＤＣＩ ｆｏｒｍａｔに含まれるビット数を、対応するＤＣＩ ｆｏｒｍａｔの伝送ビット数とし、
第２制御ユニットは、ＣＳＳ及び/又はＰＤＣＣＨを送信すべくキャリア上のＵＥ特定サーチ空間において、確定したＤＣＩ ｆｏｒｍａｔの伝送ビット数に基づいて、ＰＤＣＣＨを送信することを特徴とする請求項１６ないし請求項１９のいずれかに記載のダウンリンク制御情報（ＤＣＩ）伝送装置。
【発明の詳細な説明】
【技術分野】
【０００１】
本発明は無線通信技術分野に関し、特にバンド間キャリアアグリゲーション場合のＤＣＩ伝送方法及び装置に関する。
【背景技術】
【０００２】
本出願は、２０１２年７月４日に中国特許局に提出し、出願番号が２０１２１０２３０５９２．７であり、発明名称が「バンド間キャリアアグリゲーション場合のＤＣＩ伝送方法及び装置」との中国特許出願を基礎とする優先権を主張し、その開示の総てをここに取り込む。
ＬＴＥ（Ｌｏｎｇ Ｔｅｒｍ Ｅｖｏｌｕｔｉｏｎ，ＬＴＥ）システムには、各時分割複信（Ｔｉｍｅ ｄｉｖｉｓｉｏｎ ｄｕｐｌｅｘ，ＴＤＤ）無線フレームに対して、7種のＴＤＤアップリンク/ダウンリンク構造を定義し、具体的には、表１に示すようである。ここで、Ｄは、ダウンリンクサブフレームを示し、Ｕは、アップリンクサブフレームを示し、Sは、スペシャルサブフレームを示す。スペシャルサブフレームは、ダウンリンクタイムスロット（Ｄｏｗｎｌｉｎｋ Ｐｉｌｏｔ Ｔｉｍｅ Sｌｏｔ，ＤｗＰＴS）と、保護間隔（Ｇｕａｒｄ Ｐｅｒｉｏｄ，ＧＰ）と、アップリンクタイムスロット（Ｕｐｌｉｎｋ Ｐｉｌｏｔ Ｔｉｍｅ Ｓｌｏｔ，ＵｐＰＴＳ）との３つの部分により構成される。
【０００３】
【表１】
0006009072.tif 000002
【０００４】
ＬＴＥ-Ａ（Ｌｏｎｇ Ｔｅｒｍ Ｅｖｏｌｕｔｉｏｎ-Ａｄｖａｎｃｅｄ）システムには、システムのピーク速度は、ＬＴＥシステムにより大幅に向上され、ユーザー装置（Ｕｓｅｒ Ｅｑｕｉｐｍｅｎｔ，ＵＥ）の使用可能な帯域帯域幅を拡張する必要があるようになる。複数の連続又は不連続なキャリアをアグリゲーションして、同時にＵＥのためにサービスを提供できるようにし、具体的には、図１に示すようである。アグリゲーションされたこれらのキャリアは、コンポーネントキャリアと呼ばれる。各セル（Ｃｅｌｌ）は、それぞれ１つのコンポーネントキャリアであることができる。
【０００５】
Ｒｅｌ-１０システムにおいて、ＵＥによりアグリゲーションした複数のコンポーネントキャリアは、同一のＴＤＤアップリンク/ダウンリンク構造を有し、当該構造は、システム情報ブロック１（Ｓｙｓｔｅｍ Ｉｎｆｏｒｍａｔｉｏｎ Ｂｌｏｃｋ-１，ＳＩＢ-１）を介してＵＥに通知されるため、ＳＩＢ-１ ＴＤＤアップリンク/ダウンリンク構造として略称される。Ｒｅｌ-１１及びその後のリリースには、キャリアアグリゲーション（Ｃａｒｒｉｅｒ Ａｇｇｒｅｇａｔｉｏｎ，ＣＡ）のＵＥは、他のシステムと隣接帯域を共有又は利用することができる。例えば、図２に示すように、ＵＥは、３個のキャリアをアグリゲーションして、キャリア１及びキャリア２を帯域（Ｂａｎｄ）１に位置させ、キャリア３をＢａｎｄ ２に位置させる。隣接ＴＤＤシステムのアップリンク/ダウンリンク交差干渉を防ぐため、キャリア１及びキャリア２は、３Ｇ/ＬＴＥ ＴＤＤ Ｂａｎｄ Ａと一緒に同一のＴＤＤアップリンク/ダウンリンク構造を採用すべきであり、キャリア３は、３Ｇ/ＬＴＥ ＴＤＤ Ｂａｎｄ Ｂと同一のＴＤＤアップリンク/ダウンリンク構造を採用すべきである。Ｂａｎｄ Ａ及びＢａｎｄ ＢのＴＤＤアップリンク/ダウンリンク構造が異なる場合、ＵＥによりアグリゲーションされたキャリア１、２及びキャリア３のＴＤＤアップリンク/ダウンリンク構造も異なる。
【０００６】
ＵＥが異なるＴＤＤアップリンク/ダウンリンク構造のコンポーネントキャリアをアグリゲーションした場合、異なるコンポーネントキャリアにおいて、正常にスケジューリング情報を取得し、且つ肯定応答/否定応答（ＡＣＫ/ＮＡＣＫ）フィードバックを行うことを確保するため、キャリアごとに、当該キャリアのダウンリンクＨＡＲＱ（Ｈｙｂｒｉｄ Ａｕｔｏｍａｔｉｃ Ｒｅｐｅａｔ ｒｅｑｕｅｓｔ，）タイミング関係（ＤＬ ＨＡＲＱ ｔｉｍｉｎｇと略称）を確定するためのダウンリンク基準ＴＤＤアップリンク/ダウンリンク構造と、当該キャリアのアップリンクスケジューリング関係とＨＡＲＱタイミング関係（ＵＬ ｓｃｈｅｄｕｌｉｎｇ/ＨＡＲＱ ｔｉｍｉｎｇと略称）とを確定するためのアップリンク基準ＴＤＤアップリンク/ダウンリンク構造をそれぞれ定義した。ここで、いわゆるＤＬ ＨＡＲＱ ｔｉｍｉｎｇは、１個のキャリアのダウンリンクサブフレームと当該キャリアのダウンリンクサブフレームのＡＣＫ/ＮＡＣＫ情報を伝送するアップリンクサブフレームとの対応関係を言う。いわゆるＵＬ ｓｃｈｅｄｕｌｉｎｇ/ＨＡＲＱ ｔｉｍｉｎｇは、１個のキャリアのアップリンクサブフレームと、当該キャリアのアップリンクサブフレームのスケジューリング情報及びＡＣＫ/ＮＡＣＫ情報を伝送するダウンリンクサブフレームとの対応関係を言う。
【０００７】
現在、以下のように規定されている。
プライマリーコンポーネントキャリア（プライマリー Ｃｏｍｐｏｎｅｎｔ Ｃａｒｒｉｅｒ，ＰＣＣ）のダウンリンク基準ＴＤＤアップリンク/ダウンリンク構造、及びアップリンク基準ＴＤＤアップリンク/ダウンリンク構造は、ＰＣＣのＳＩＢ-１ ＴＤＤアップリンク/ダウンリンク構造であり、セカンダリーコンポーネントキャリア（Ｓｅｃｏｎｄａｒｙ Ｃｏｍｐｏｎｅｎｔ Ｃａｒｒｉｅｒ，ＳＣＣ）のダウンリンク基準ＴＤＤアップリンク/ダウンリンク構造は、ＳＣＣ及びＰＣＣの具体的な構成状況により確定する必要がある。ＰＣＣ又は当該ＳＣＣのＳＩＢ-１ ＴＤＤアップリンク/ダウンリンク構造であってもよいし、他のＴＤＤアップリンク/ダウンリンク構造であってもよい。具体的には、標準規定に基づいて確定する。ＳＣＣのアップリンク基準ＴＤＤアップリンク/ダウンリンク構造が、本キャリアでスケジューリングされる場合、当該ＳＣＣのＳＩＢ-１ ＴＤＤアップリンク/ダウンリンク構造であり、キャリア間のスケジューリングの場合、当該ＳＣＣのＳＩＢ-１ ＴＤＤアップリンク/ダウンリンク構造である可能性もあるし、当該ＳＣＣのＣＣのＳＩＢ-１ ＴＤＤアップリンク/ダウンリンク構造をスケジューリング可能性もある。具体的には、標準規定により確定する。
【０００８】
ＬＴＥシステムにおいて、物理ダウンリンク制御チャネル（Ｐｈｙｓｉｃａｌ Ｄｏｗｎｌｉｎｋ Ｃｏｎｔｒｏｌ Ｃｈａｎｎｅｌ，ＰＤＣＣＨ）は、アップリンク及びダウンリンクトラフィックのスケジューリング情報及び電気制御命令を伝送することに主に利用される。スケジューリング情報の異なる用途及び搬送情報コンテンツにより、異なるダウンリンク制御情報（Ｄｏｗｎｌｉｎｋ Ｃｏｎｔｒｏｌ Ｉｎｆｏｒｍａｔｉｏｎ，ＤＣＩ）フォーマット（ｆｏｒｍａｔ）を定義する。ダウンリンクスケジューリング情報を伝送する ＰＤＣＣＨは、ＤＣＩ ｆｏｒｍａｔ １/１Ａ/１Ｂ/１Ｃ/１Ｄ/２/２Ａ/２Ｂ/２Ｃを採用することができ、アップリンクスケジューリングを伝送する ＰＤＣＣＨは、ＤＣＩ ｆｏｒｍａｔ ０/４を採用することができ、アップリンクマルチキャスト電気制御命令を伝送するＰＤＣＣＨは、ＤＣＩ ｆｏｒｍａｔ ３/３Ａを採用することができる。ここで、ＤＣＩ ｆｏｒｍａｔ １Ｃ/３/３Ａは、単に共通領域（Ｃｏｍｍｏｎ Ｓｅａｒｃｈ Ｓｐａｃｅ，ＣＳＳ）において伝送，ＤＣＩ ｆｏｒｍａｔ ０/１Ａは、ＣＳＳ和ＵＥ特定領域（ＵＥ-ｓｐｅｃｉｆｉｃ Ｓｅａｒｃｈ Ｓｐａｃｅ，ＵＳＳ）において伝送され、他のＤＣＩ ｆｏｒｍａｔは、ＵＳＳのみにおいて、伝送されることができる。
【０００９】
ＵＥがＰＤＣＣＨを検出する際に２種のリソース集合、即ち、ちＣＳＳ及びＵＳＳを検出しなければならない。ＣＳＳは、単に主セルに位置され、当該セルにおける全部ＵＥにより共有され、共通情報のスケジューリングシグナリングを主に伝送する。よって、ＣＳＳにて伝送する全部端末のＤＣＩサイズ（即ち、ちＤＣＩのビット数）は、一致することが必要となる。
ＵＳＳは、ＵＥのスケジューリングキャリアに位置し、ＵＥ特定データのスケジューリングシグナリングを伝送し、異なるＵＥのＤＣＩサイズは、異なることができる。ＵＥのＰＤＣＣＨに対する検出は、ブラインド検出であり、即ち、異なる制御チャネルエレメント（Ｃｏｎｔｒｏｌ Ｃｈａｎｎｅｌ Ｅｌｅｍｅｎｔ，ＣＣＥ）アグリゲーションレベル及びＤＣＩサイズを試すことにより、正確なＰＤＣＣＨを識別する。一般的に、異なるＤＣＩ フォーマット、搬送する具体的な情報が異なるため、ＤＣＩ フォーマットサイズも異なる。ＵＥのＰＤＣＣＨに対するブラインド検出回数を減らすため、下記の条件を満足するビットフィリング（Ｂｉｔ-ｆｉｌｌｉｎｇ）方法を導入した。
【００１０】
条件ａ
いずれのＤＣＩ ｆｏｒｍａｔのビット数は、予め定義したファジー（ｆｕｚｚｙ）ビット数{１２, １４, １６ ,２０, ２４, ２６, ３２, ４０, ４４, ５６}と異なることにより、ＵＥが複数のＰＤＣＣＨ起点位置を検出することを防ぐことができる。
【００１１】
条件ｂ
同じサーチ空間において、ＤＣＩ ｆｏｒｍａｔ ０、ＤＣＩ ｆｏｒｍａｔ １Ａ、ＤＣＩ ｆｏｒｍａｔ ３、ＤＣＩ ｆｏｒｍａｔ３Ａのサイズが同一であるため、同一のサーチ空間において、ＵＥは、単に１つのＤＣＩサイズを検出すれば、ＤＣＩ ｆｏｒｍａｔ ０/１/３/３Ａを取得でき、且つ、ＰＤＣＣＨのＣＲＣ（Ｃｙｃｌｉｃ Ｒｅｄｕｎｄａｎｃｙ Ｃｈｅｃｋ）に利用される、スクランブルするためのＣ-ＲＮＴＩ（Ｃｅｌｌ-Ｒａｄｉｏ Ｎｅｔｗｏｒｋ Ｔｅｍｐｏｒａｒｙ Ｉｄｅｎｔｉｆｉｅｒ，）が異なることにより、ＤＣＩ ｆｏｒｍａｔ ０/１Ａ、ＤＣＩ ｆｏｒｍａｔ ３及びＤＣＩ ｆｏｒｍａｔ ３Ａを区別し、さらにＤＣＩ ｆｏｒｍａｔ ０/１Ａの１ビット識別子により、ＤＣＩ ｆｏｒｍａｔ ０及びＤＣＩ ｆｏｒｍａｔ １Ａを区別する。
【００１２】
条件ｃ
ＰＤＣＣＨのＣＲＣがＣ-ＲＮＴＩでスクランブルしない場合、ＤＣＩ ｆｏｒｍａｔ １とＤＣＩ ｆｏｒｍａｔ ０/１Ａとのサイズは、同一である。
【００１３】
条件ｄ
ＰＤＣＣＨのＣＲＣがＣ-ＲＮＴＩでスクランブルする場合、同一のＵＳＳにおいて伝送する、同一ののキャリアをスケジューリングするＤＣＩ ｆｏｒｍａｔ １/１Ｂ/１Ｄは、ＤＣＩ ｆｏｒｍａｔ ０/１Ａとサイズが異なる。ＣＩ ｆｏｒｍａｔ ４は、ＤＣＩ ｆｏｒｍａｔ １/２/２Ａ/２Ｂ/２Ｃとサイズが異なる。これにより、ＵＥはＤＣＩサイズに基づいて異なるＤＣＩ ｆｏｒｍａｔを区別する。
【００１４】
ＬＴＥ-Ａ Ｒｅｌ-１０システムにおいて、ＤＣＩ ｆｏｒｍａｔ ０/４の場合、含まれる２ビットアップリンクインデックス（ＵＬ ｉｎｄｅｘ）及び２ビットダウンリンク割り当てインデックス（Ｄｏｗｎｌｉｎｋ Ａｓｓｉｇｎｍｅｎｔ Ｉｎｄｅｘ，ＤＡＩ）フィールドが同時に存在しなければ、ＵＬ ｉｎｄｅｘは、ＵＥのＳＩＢ-１ ＴＤＤアップリンク/ダウンリンク構造が構造０である場合のみに存在し、ＴＤＤ ＵＬサブフレームがＤＬサブフレームより多いとき、１個のＤＬサブフレームが是否同時複数のＵＬサブフレーム（即ち、アップリンク多フレームスケジューリング）を同時にスケジューリングするかを示す。これにより、各ＵＬサブフレームがスケジューリング情報を取得できることを確保できる。
ＤＡＩは、ＵＥのＳＩＢ-１ ＴＤＤアップリンク/ダウンリンク構造が構造１〜６の場合のみ存在し、ＴＤＤシステムにおいて、１個のアップリンクサブフレームにで複数のダウンリンクサブフレームに対応するＡＣＫ/ＮＡＣＫ情報（即ち、ち、当該キャリアのＭが１より大きい、Ｍは、ＵＥのＳＩＢ-１ＴＤＤアップリンク/ダウンリンク構造により確定する１個のアップリンクサブフレームに対応するダウンリンクインデックス集合に含まれるエレメント数であり、即ち、含まれるダウンリンクサブフレーム数である。ここで、ダウンリンクサブフレームは、ＡＣＫ/ＮＡＣＫフィードバックを行うべくスペシャルサブフレームも含む）を同時にフィードバックするとき、ＤＡＩフィールドが示す値により各キャリアに対応するＡＣＫ/ＮＡＣＫフィードバックビット数を確定し、これにより、以在避免基地局及びＵＥがＰＵＳＣＨにて伝送するＡＣＫ/ＮＡＣＫフィードバックビット数に対する理解が一致しないため、ＡＣＫ/ＮＡＣＫの、ＰＵＳＣＨ上のリソースオーバーヘッドを低減する。
【発明の概要】
【発明が解決しようとする課題】
【００１５】
異なるＴＤＤアップリンク/ダウンリンク構造のキャリアをアグリゲーションする場合、異なるコンポーネントキャリアのＤＬ ＨＡＲＱ ｔｉｍｉｎｇ及びＵＬ ｓｃｈｅｄｕｌｉｎｇ/ＨＡＲＱ ｔｉｍｉｎｇにおいて、異なる基準ＴＤＤアップリンク/ダウンリンク構造を利用し、且つ同一のコンポーネントキャリア上のＤＬ ＨＡＲＱ ｔｉｍｉｎｇ及びＵＬ ｓｃｈｅｄｕｌｉｎｇ/ＨＡＲＱ ｔｉｍｉｎｇにおいても異なる基準ＴＤＤアップリンク/ダウンリンク構造を利用する可能性もある。この際、より合理的に、ＤＬ ＨＡＲＱ ｔｉｍｉｎｇに利用される基準ＴＤＤアップリンク/ダウンリンク構造に基づいて確定した、同一のアップリンクサブフレームに対応してＡＣＫ/ＮＡＣＫフィードバックを行うダウンリンクサブフレーム数が、１個を超える場合、アップリンク・グラントナリング（ＵＬ ｇｒａｎｔ）には、ＤＡＩフィールドが必要となる。ＡＣＫ/ＮＡＣＫの、ＰＵＳＣＨ上のリソースオーバーヘッドを減らすため、ＵＬ ｓｃｈｅｄｕｌｉｎｇ/ＨＡＲＱ ｔｉｍｉｎｇに用いられる基準ＴＤＤアップリンク/ダウンリンク構造において、ＵＬサブフレームがＤＬサブフレームの構造より多ければ、ＵＬ ｇｒａｎｔには、ＵＬ ｉｎｄｅｘが必要となり、アップリンク・マルチフレームスケジューリングを実現する。
【００１６】
しかし、従来技術において、Ｒｅｌ-１０には、ＵＥのＳＩＢ-１ ＴＤＤアップリンク/ダウンリンク構造により、ＤＣＩ ｆｏｒｍａｔにＵＬ ｉｎｄｅｘ及びＤＡＩが含まれるかを確定する方法は、上述の要求を満足できないし、さらに、ＤＣＩ ｆｏｒｍａｔにＵＬ ｉｎｄｅｘ及びＤＡＩが同時に含まれる状況を招致する恐れがある。例えば、ＵＥがＳＩＢ-１ ＴＤＤアップリンク/ダウンリンク構造０及び１の２個のキャリアをアグリゲーションした場合、ＣＳＳにおいて伝送するＤＣＩ ｆｏｒｍａｔのサイズが変更されるため、セル共通情報の正常伝送に影響を与える。そのため、Ｒｅｌ-１０に確定したＤＣＩ ｆｏｒｍａｔに、ＵＬ ｉｎｄｅｘ及びＤＡＩが含まれるかを確定する方法は、もう、バンド間のキャリアアグリゲーション・システムに適宜ではなくなる。現在、バンド間のキャリアアグリゲーションのＵＥが、ＤＣＩ ｆｏｒｍａｔにＵＬ ｉｎｄｅｘ及びＤＡＩが含まれるかをどのように確定するかは、また、明確な方法は、まだ案出されていない。
【００１７】
本発明に係る実施例は、バンド間キャリアアグリゲーション場合のＤＣＩ伝送方法及び装置を提供し、バンド間キャリアアグリゲーションの場合、異なるＴＤＤアップリンク/ダウンリンク構造のキャリアをアグリゲーションしたＵＥに対しアップリンクマルチフレームスケジューリング、及びＡＣＫ/ＮＡＣＫ情報のＰＵＳＣＨ上の伝送ビット数及びリソースオーバーヘッドの動的な調整を実現する。
【課題を解決するための手段】
【００１８】
本発明に係る実施例のＤＣＩ伝送方法は、ＵＥが、事前に決めた規則或いは高位層シグナリングにより取得した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定するステップと、ＵＥが、前記確定結果に基づいて、ＵＥが現在ダウンリンクサブフレームにおける、検出しようとするＰＤＣＣＨに用いられるＤＣＩ ｆｏｒｍａｔの伝送ビット数を確定するステップと、ＵＥが、前記確定したＤＣＩ ｆｏｒｍａｔの伝送ビット数に基づいて前記ＰＤＣＣＨを検出するステップとを備え、ここで、ＵＥのアグリゲーションキャリアには、異なる時分割複信（ＴＤＤ）アップリンク/ダウンリンク構造を有するキャリアが少なくとも２つが含まれ、当該キャリアの異なるＴＤＤアップリンク/ダウンリンク構造は、システム情報により通知される。
【００１９】
ＤＣＩ伝送方法は、基地局が、事前に決めた規則或いは高位層シグナリングに基づいて、ユーザー装置（ＵＥ）へ送信した設定情報を取得し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定するステップと、基地局が、前記確定結果に基づいて、ＵＥへ送信すべくＰＤＣＣＨに用いられるＤＣＩ ｆｏｒｍａｔの伝送ビット数をさらに確定するステップと、基地局が、前記ＤＣＩ ｆｏｒｍａｔの伝送ビット数に基づいて、前記ＰＤＣＣＨを送信するステップとを備え、ここで、ＵＥのアグリゲーションキャリアに、異なるＴＤＤアップリンク/ダウンリンク構造を有するキャリアが少なくとも２つが含まれ、当該異なるキャリアのＴＤＤアップリンク/ダウンリンク構造は、システム情報により通知される。
【００２０】
ＤＣＩ伝送装置は、 事前に決めた規則或いは高位層シグナリングにより取得した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する第１処理ユニットと、前記確定結果に基づいて、現在ダウンリンクサブフレームにおける、検出しようとするＰＤＣＣＨに用いられるＤＣＩ ｆｏｒｍａｔの伝送ビット数をさらに確定し、前記確定したＤＣＩ ｆｏｒｍａｔの伝送ビット数に基づいて、ＰＤＣＣＨを検出する第２処理ユニットとを備え、ここで、本装置のアグリゲーションキャリアに、異なる 時分割複信（ＴＤＤ）アップリンク/ダウンリンク構造を有するキャリアが少なくとも２つが含まれ、当該キャリアのＴＤＤアップリンク/ダウンリンク構造は、システム情報により通知される。
【００２１】
ＤＣＩ伝送装置は、事前に決めた規則或いは高位層シグナリングによりユーザー装置（ＵＥ）へ送信した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する第１制御ユニットと、前記確定結果に基づいて、前記ＵＥへ送信すべくＰＤＣＣＨに用いられるＤＣＩ ｆｏｒｍａｔの伝送ビット数をさらに確定し、前記ＤＣＩ ｆｏｒｍａｔの伝送ビット数に基づいて、前記ＰＤＣＣＨを送信する第２制御ユニットとを備え、ここで、ＵＥのアグリゲーションキャリアに、異なる ＴＤＤアップリンク/ダウンリンク構造を有するキャリアが少なくとも２つが含まれ、当該キャリアのＴＤＤアップリンク/ダウンリンク構造は、システム情報により通知される。
【発明の効果】
【００２２】
本発明に係る実施例によれば、異なるＴＤＤアップリンク/ダウンリンク構造を有するキャリアをアグリゲーションしたＬＴＥ-Ａ ＣＡ ＵＥは、事前に決めた規則或いは高位層シグナリング設定情報に基づいて、ＰＵＳＣＨをスケジューリングするＰＤＣＣＨに用いられるＤＣＩ ｆｏｒｍａｔにＤＡＩ及びＵＬ ｉｎｄｅｘが含まれるかを確定し、ＣＳＳ及びＵＳＳに対してそれぞれ独立確定する。これにより、ＣＳＳにおいて伝送するＤＣＩサイズが変わらないように確保し、セル共通情報の正常伝送を確保する。同時に、ＵＳＳにおいて、実のニーズに応じて、ＤＣＩの具体的なビットフィールドを合理的に確定し、ＵＬマルチフレームスケジューリング及び/又はＡＣＫ/ＮＡＣＫの、ＰＵＳＣＨ上のリソースオーバーヘッドにたいする制御をサポートできる。
【図面の簡単な説明】
【００２３】
【図１】図１は従来技術のキャリアアグリゲーションを示す図である。
【図２】図２は従来技術のＩｎｔｅｒ-ｂａｎｄキャリアアグリゲーションを示す図である。
【図３】図３は本発明に係る実施例のＵＥがキャリア間のアグリゲーションの場合に、ＰＤＣＣＨに用いられるＤＣＩ ｆｏｒｍａｔフローチャートである。
【図４】図４は本発明に係る実施例の基地局がキャリア間のアグリゲーションの場合に、ＰＤＣＣＨに用いられるＤＣＩ ｆｏｒｍａｔフローチャートである。
【図５Ａ】図５Ａは本発明に係る実施例中のＵＥを説明するための図である。
【図５Ｂ】図５Ｂは本発明に係る実施例中のＵＥを説明するための図である。
【図６Ａ】本発明に係る実施例中の基地局を説明するための図である。
【図６Ｂ】本発明に係る実施例中の基地局を説明するための図である。
【発明を実施するための形態】
【００２４】
ＬＴＥ-Ａ Ｒｅｌ-１１には、バンド間（Ｉｎｔｅｒ-ｂａｎｄ）のＣＡの場合の隣接周波数ポイント上のＴＤＤシステム間の相互干渉を防ぐため、ＵＥによりアグリゲーションされたコンポーネントキャリアは、異なるＴＤＤアップリンク/ダウンリンク構造を使用する可能性がある。Ｒｅｌ-１０システムには、ＳＩＢ-１において通知されたＴＤＤアップリンク/ダウンリンク構造により、ＤＣＩにＤＡＩ及びＵＬ ｉｎｄｅｘが含まれるかを確定する方法は、もう適用できない。よって、本発明に係る実施例は、異なるＴＤＤアップリンク/ダウンリンク構造を有するキャリアをアグリゲーションする場合、ＰＤＣＣＨに用いられるＤＣＩ ｆｏｒｍａｔサイズを確定する方法を提供した。具体的には、異なるＴＤＤアップリンク/ダウンリンク構造を有するキャリアをアグリゲーションしたＬＴＥ-Ａ ＣＡ ＵＥは、事前に決めた規則或いは高位層シグナリングにより取得した設定情報に基づいて、ＰＵＳＣＨをスケジューリングするＰＤＣＣＨに用いられるＤＣＩ ｆｏｒｍａｔにＵＬ ｉｎｄｅｘ及びＤＡＩが含まれるかを確定し、確定したＤＣＩ ｆｏｒｍａｔサイズに基づいてＰＤＣＣＨを受信する。
【００２５】
以下、図面を参照しながら、好ましい実施方法に対して詳しく説明する。
【００２６】
図３に示すように、本発明に係る実施例には、ＵＥがキャリア間アグリゲーションの場合に、ＰＤＣＣＨに用いられるＤＣＩ ｆｏｒｍａｔを確定する詳細なフローチャートは、下記で説明する。
【００２７】
ステップ３００において、ＵＥは、事前に決めた規則或いは高位層シグナリングにより取得した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【００２８】
本実施例において、いわゆる高位層シグナリングは、ＭＡＣ（Ｍｅｄｉｕｍ Ａｃｃｅｓｓ Ｃｏｎｔｒｏｌ）シグナリング、無線リソース制御（Ｒａｄｉｏ Ｒｅｓｏｕｒｃｅ Ｃｏｎｔｒｏｌ，ＲＲＣ）シグナリング等を含んでもよいか、これに限られない。
【００２９】
ステップ３１０において、ＵＥは、上述確定結果に基づいて、ＵＥが現在ダウンリンクサブフレームにおける、検出しようとするＰＤＣＣＨに用いられるＤＣＩ ｆｏｒｍａｔの伝送ビット数を確定し、確定したＤＣＩ ｆｏｒｍａｔの伝送ビット数に基づいて、ＰＤＣＣＨを検出する。ここで、ＵＥのアグリゲーションキャリアに、異なるＴＤＤアップリンク/ダウンリンク構造を有するキャリアが少なくとも２つが含まれ、当該キャリアのＴＤＤアップリンク/ダウンリンク構造は、システム情報（例えば、ＳＩＢ１）により通知される。換言すれば、也可以称ＵＥのアグリゲーションキャリアは、異なるＳＩＢ１ ＴＤＤアップリンク/ダウンリンク構造を有するキャリアが少なくとも２つが含まれる。。
【００３０】
本発明に係る実施例において、ＵＥが検出しようとするのＰＤＣＣＨに用いられるＤＣＩ ｆｏｒｍａｔは、ＤＣＩ ｆｏｒｍａｔ ０、ＤＣＩ ｆｏｒｍａｔ１、ＤＣＩ ｆｏｒｍａｔ１Ａ、ＤＣＩ ｆｏｒｍａｔ１Ｂ、ＤＣＩ ｆｏｒｍａｔ１Ｃ、ＤＣＩ ｆｏｒｍａｔ１Ｄ、ＤＣＩ ｆｏｒｍａｔ２、ＤＣＩ ｆｏｒｍａｔ２Ａ、ＤＣＩ ｆｏｒｍａｔ２Ｂ、ＤＣＩ ｆｏｒｍａｔ２Ｃ、ＤＣＩ ｆｏｒｍａｔ３、ＤＣＩ ｆｏｒｍａｔ３Ａ、ＤＣＩ ｆｏｒｍａｔ４のうちの１つまたはその組み合わせを含む。具体的な検出すべくＤＣＩ ｆｏｒｍａｔは、ＵＥの具体的なアップリンク及びダウンリンク伝送モード及び構造に用いられるＲＮＴＩにより確定される。
【００３１】
また、ステップ３１０は、具体的に下記のように執行される。
ＵＥは、ＤＡＩ及びＵＬ ｉｎｄｅｘが含まれるかとの確定結果に基づいて、ＰＵＳＣＨをスケジューリングするＰＤＣＣＨに用いられるＤＣＩ ｆｏｒｍａｔに含まれる有効ビット数（即ち、各種ＤＣＩ ｆｏｒｍａｔに含まれる異なる情報フィールドのビット数の和である）を確定し、当該ＰＵＳＣＨをスケジューリングするＰＤＣＣＨに用いられるＤＣＩ ｆｏｒｍａｔに含まれる有効ビット数及び/又は検出しようとするＰＤＣＣＨに用いられるＤＣＩ ｆｏｒｍａｔ中の各ＤＣＩ ｆｏｒｍａｔに含まれる有効ビット数に基づいて、ビットフィリング規則（背景技術を参照）に従い、ＵＥが現在ダウンリンクサブフレームにおいて検出しようとするＰＤＣＣＨに用いられるＤＣＩ ｆｏｒｍａｔに対して、ビットフィリングを行い、且つビットフィリングされた各ＤＣＩ ｆｏｒｍａｔに含まれるビット数を、対応するＤＣＩ ｆｏｒｍａｔの伝送ビット数とし、及び、ＣＳＳ及びＰＤＣＣＨを検出すべくキャリア上のＵＳＳにおいて、確定された検出しようとするＤＣＩ ｆｏｒｍａｔの伝送ビット数に基づいて、ＰＤＣＣＨを検出する。
【００３２】
上述実施例に基づいて、以下、ステップ３００の執行方法を詳しく説明する。
【００３３】
本発明に係る実施例の１つの執行方法は、ＣＳＳ及びＵＳＳにおいて、ａｔにＵＬ ｉｎｄｅｘ及びＤＡＩの少なくとも１つのが含まれるかを示す、事前に決めた規則或いは高位層シグナリング設定情報が相互に独立する。即ち、ＵＥは、ＣＳＳ及びＵＳＳにそれぞれ対応する事前に決めた規則ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、或いは、ＵＥは、ＣＳＳ及びＵＳＳそれぞれに対し、高位層シグナリングにより取得した設定情報ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。勿論、実際に、ＣＳＳ及びＵＳＳにおいて、ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかを示す、事前に決めた規則或いは高位層シグナリング設定情報は、共有することもできる。
【００３４】
第１種シナリオ
ＣＳＳの例を挙げる。ＣＳＳにおいて、ＵＥが事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、以下のいずれの仕様で確定することができる。
【００３５】
仕様１１
ＵＥは、いつもＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００３６】
例えば、ＣＳＳにおいて伝送するＵＬ ｇｒａｎｔは、２ビットのＤＡＩ値で、Ｍが１より大きいキャリアのＡＣＫ/ＮＡＣＫ有効ビット数を制御することをサポートするが、ＰＣＣ上のＵＬマルチフレームスケジューリングをサポートしない。ここで、Ｍは、現在アップリンクサブフレームと対応する、ＡＣＫ/ＮＡＣＫフィードバックを行うべくダウンリンクサブフレーム数を示す。アグリゲーション了具有異なるＴＤＤアップリンク/ダウンリンク構造を有するキャリアをアグリゲーションしたＵＥの場合、当該値は、各キャリアにより異なる可能性もあり、各キャリアのダウンリンク基準ＴＤＤアップリンク/ダウンリンク構造により確定される。後続実施例にも、上述通りであるため、この以上説明しない。
【００３７】
仕様１２
ＵＥは、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００３８】
例えば、ＣＳＳにおいて伝送するＵＬ ｇｒａｎｔは、ＰＣＣ上のＵＬマルチフレームスケジューリングをサポートするが、２ビットのＤＡＩ値で、Ｍが１より大きいキャリアのＡＣＫ/ＮＡＣＫ有効ビット数を制御することをサポートしない。
【００３９】
仕様１３
ＵＥは、ＵＬ ｉｎｄｅｘ条件及び/又はＤＡＩ条件に基づいて、ＰＵＳＣＨをスケジューリングするＰＵＣＣＨに用いられるＤＣＩ ｆｏｒｍａｔにＵＬ ｉｎｄｅｘ及びＤＡＩの少なくとも１つが含まれるかを確定する。
【００４０】
本実施例は、上述仕様１３を実施する際に下記のいずれの仕様を採用する。
【００４１】
仕様１３ａ
ＵＬ ｉｎｄｅｘ条件１を満足する場合（ＤＡＩ条件１を満足するか否かに関わらず）、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。ＵＬ ｉｎｄｅｘ条件１を満足しない場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００４２】
例えば、ＣＳＳにおいて伝送するＵＬ ｇｒａｎｔは、ＰＣＣがＴＤＤアップリンク/ダウンリンク構造０である場合、ＰＣＣ上のＵＬマルチフレームスケジューリングをサポートし、ＰＣＣがＴＤＤアップリンク/ダウンリンク構造０ではない場合、２ビットのＤＡＩ値で、Ｍが１より大きいキャリアのＡＣＫ/ＮＡＣＫ有効ビット数を制御することをサポートする。
【００４３】
規則１３ｂ
ＤＡＩ条件１を満足する場合（ＵＬ ｉｎｄｅｘ条件１を満足するかに関わらず）、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。ＤＡＩ条件１を満足しない場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００４４】
例えば、ＣＳＳにおいて伝送するＵＬ ｇｒａｎｔは、少なくとも１個のキャリア（或いは所有アグリゲーションキャリア）のＭが１より大きい場合、２ビットのＤＡＩ値で、Ｍが１より大きいキャリアのＡＣＫ/ＮＡＣＫ有効ビット数を制御することをサポートする。全部キャリア（或少なくとも１個のキャリア）のＭが１より大きくない場合、ＰＣＣ上のＵＬマルチフレームスケジューリングをサポートする。
【００４５】
規則１３ｃ
ＵＬ ｉｎｄｅｘ条件１のみを満足し、且つＤＡＩ条件１を満足しない場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００４６】
例えば、ＣＳＳにおいて伝送するＵＬ ｇｒａｎｔは、ＰＣＣがＴＤＤアップリンク/ダウンリンク構造０であり、且つ全部キャリア（或いは少なくとも１個のキャリア）のＭが１より大きくない場合、ＰＣＣ上のＵＬマルチフレームスケジューリングをサポートする。ＰＣＣがＴＤＤアップリンク/ダウンリンク構造０ではなく、或いは少なくとも１個のキャリア（或全部キャリア）のＭが１より大きい場合、２ビットのＤＡＩ値で、Ｍが１より大きいキャリアのＡＣＫ/ＮＡＣＫ有効ビット数を制御することをサポートする。
【００４７】
規則１３ｄ
ＤＡＩ条件１のみを満足し、且つＵＬ ｉｎｄｅｘ条件１を満足しない場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００４８】
例えば、ＣＳＳにおいて伝送するＵＬ ｇｒａｎｔは、少なくとも１個のキャリア（或いは全部キャリア）のＭが１より大きく、且つＰＣＣがＴＤＤアップリンク/ダウンリンク構造０ではない場合、２ビットのＤＡＩ値で、Ｍが１より大きいキャリアのＡＣＫ/ＮＡＣＫ有効ビット数を制御することをサポートする。ＰＣＣがＴＤＤアップリンク/ダウンリンク構造０であるか、或いは全部キャリア（或いは少なくとも１個のキャリア）のＭが１より大きくない場合、ＰＣＣ上のＵＬマルチフレームスケジューリングをサポートする。
【００４９】
上述仕様１３ａ〜１３ｄにおいて、ＤＡＩ条件１は、当ＵＥの少なくとも１個のアグリゲーションキャリア（或いは全部アグリゲーションキャリア）のダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。
或いは、ＤＡＩ条件１は、当ＵＥの主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。
或いは、ＤＡＩ条件１は、当ＵＥのＰＣＣのＳＩＢ１ ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。
【００５０】
ＵＬ ｉｎｄｅｘ条件１は、ＵＥ の主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれる。
或いは、ＵＬ ｉｎｄｅｘ条件１は、ＵＥ のＰＣＣのＳＩＢ１ ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれる。
【００５１】
いわゆるダウンリンク基準ＴＤＤアップリンク/ダウンリンク構造は、即ち、ダウンリンクサブフレームと、当該ダウンリンクサブフレームのＡＣＫ/ＮＡＣＫ情報を伝送するアップリンクサブフレームとの対応関係を確定するＴＤＤアップリンク/ダウンリンク構造を指す。ＰＣＣの場合、ダウンリンク基準ＴＤＤアップリンク/ダウンリンク構造は、即ち、ＰＣＣのＳＩＢ-１ ＴＤＤアップリンク/ダウンリンク構造である。いわゆるアップリンク基準ＴＤＤアップリンク/ダウンリンク構造は、アップリンクサブフレームと、スケジューリング情報及びＡＣＫ/ＮＡＣＫ情報を伝送するダウンリンクサブフレームととの対応関係を確定するＴＤＤアップリンク/ダウンリンク構造である。ＰＣＣの場合、アップリンク基準ＴＤＤアップリンク/ダウンリンク構造は、即ち、ＰＣＣのＳＩＢ-１ ＴＤＤアップリンク/ダウンリンク構造である。上述概念は既に背景技術において詳細に説明したため、後続実施例にも当該概念を採用し、この以上説明しない。
【００５２】
いわゆる第１種ＴＤＤアップリンク/ダウンリンク構造は、即ち、１個の無線サブフレーム内のＤＬサブフレーム数がＵＬサブフレーム数より小さくない構成を指す。例えば、ＴＤＤアップリンク/ダウンリンク構成１〜６。
いわゆる第２種ＴＤＤアップリンク/ダウンリンク構造は、１個の無線サブフレーム内のＤＬサブフレーム数がＵＬサブフレーム数より小さい構成を指す。即ち、第１種ＴＤＤアップリンク/ダウンリンク構造以外の構成である。例えば、ＴＤＤアップリンク/ダウンリンク構成０。
【００５３】
さらに、上述ＰＵＳＣＨをスケジューリングするＰＤＣＣＨは、ＵＬ ｇｒａｎｔを伝送するＰＤＣＣＨと、ＳＰＳ（半持続スケジューリング） ＰＵＳＣＨ活性化を示すＰＤＣＣＨとを含む。ＤＣＩ ｆｏｒｍａｔは、ＤＣＩ ｆｏｒｍａｔ ０と、ＤＣＩ ｆｏｒｍａｔ４とを含む。
【００５４】
好ましくは、当ＰＣＣのアップリンク基準ＴＤＤアップリンク/ダウンリンク構造或いはいはＳＩＢ-１ ＴＤＤアップリンク/ダウンリンク構造が第２種ＴＤＤアップリンク/ダウンリンク構造であるが、上述仕様により確定したＤＣＩ ｆｏｒｍａｔにＵＬ ｉｎｄｅｘが含まれない場合、及び/又は、少なくとも１個のアグリゲーションキャリアのダウンリンク基準ＴＤＤアップリンク/ダウンリンク構造が第１種ＴＤＤアップリンク/ダウンリンク構造であるが、上述仕様により確定したＤＣＩ ｆｏｒｍａｔにＤＡＩが含まない場合、基地局は、ＣＳＳにおいて、上述ＤＣＩ ｆｏｒｍａｔを採用するＰＤＣＣＨを発送しないようにし、ＵＥは、ＣＳＳにおいて、上述ＤＣＩ ｆｏｒｍａｔを採用するＰＤＣＣＨを受信することを望まない。
【００５５】
第２種シナリオ
ＵＳＳの例を挙げる。ＵＳＳにおいて、ＵＥは、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定することができる。
【００５６】
即ち、ＵＥの各アグリゲーションキャリア上の、ＰＵＳＣＨをスケジューリングするＰＤＣＣＨは、統一的のＤＣＩ ｆｏｒｍａｔを採用するか、或いは、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定することもできる。即ち、ＵＥの各アグリゲーションキャリア上の、ＰＵＳＣＨをスケジューリングするＰＤＣＣＨは、それぞれ異なるＤＣＩ ｆｏｒｍａｔを採用する。
【００５７】
以下、その２つの場合についてそれぞれ説明する。
【００５８】
一方は、ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定には、以下のいずれの仕様を採用することができる。
【００５９】
仕様２１
ＵＥは、いつもＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００６０】
例えば、ＵＳＳにおいて伝送するＵＬ ｇｒａｎｔは、２ビットのＤＡＩ値で、Ｍが１より大きいキャリアのＡＣＫ/ＮＡＣＫ有効ビット数を制御することをサポートするが、ＳＩＢ-１ ＴＤＤアップリンク/ダウンリンク構造或いはアップリンク基準 ＴＤＤアップリンク/ダウンリンク構造が、ＴＤＤアップリンク/ダウンリンク構造０であるキャリア上のＵＬマルチフレームスケジューリングをサポートしない。
【００６１】
仕様２２
ＵＥは、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００６２】
例えば、ＵＳＳにおいて伝送するＵＬ ｇｒａｎｔは、いつもＳＩＢ-１ ＴＤＤアップリンク/ダウンリンク構造或いはアップリンク基準ＴＤＤアップリンク/ダウンリンク構造が、ＴＤＤアップリンク/ダウンリンク構造０であるキャリア上のＵＬマルチフレームスケジューリングをサポートするが、２ビットのＤＡＩ値で、Ｍが１より大きいキャリアのＡＣＫ/ＮＡＣＫ有効ビット数を制御することをサポートしない。
【００６３】
仕様２３
ＵＥは、いつもＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。
【００６４】
例えば、ＵＳＳにおいて伝送するＵＬ ｇｒａｎｔは、常にＳＩＢ-１ ＴＤＤアップリンク/ダウンリンク構造或いはアップリンク基準ＴＤＤアップリンク/ダウンリンク構造が、ＴＤＤアップリンク/ダウンリンク構造０であるキャリア上のＵＬマルチフレームスケジューリングをサポートし、及び２ビットのＤＡＩ値で、Ｍが１より大きいキャリアのＡＣＫ/ＮＡＣＫ有効ビット数を制御することをサポートするが、ＤＣＩの伝送ビット数を増やせる。
【００６５】
仕様２４
ＵＥはＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに含まれる具体的な情報フィールドを確定する。
【００６６】
本実施例において、上述仕様２４を実施する際に、以下のいずれの仕様を採用することができる。
【００６７】
仕様２４ａ
ＵＬ ｉｎｄｅｘ条件２を満足する場合（ＤＡＩ条件２を満足するかに関わらず）、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。ＵＬ ｉｎｄｅｘ条件２を満足しない場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００６８】
仕様２４ｂ
ＤＡＩ条件２を満足する場合、（ＵＬ ｉｎｄｅｘ条件２を満足するかに関わらず），ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。ＤＡＩ条件２を満足しない場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００６９】
仕様２４ｃ
ＵＬ ｉｎｄｅｘ条件２のみを満足し、且つＤＡＩ条件２を満足しない場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００７０】
仕様２４ｄ
ＤＡＩ条件２のみを満足し、且つＵＬ ｉｎｄｅｘ条件２を満足しない場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００７１】
仕様２４ｅ
ＵＬ ｉｎｄｅｘ条件２及びＤＡＩ条件２を同時に満足する場合、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。ＵＬ ｉｎｄｅｘ条件２のみを満足し、且つＤＡＩ条件２を満足しない場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。ＤＡＩ条件２のみを満足し、且つＵＬ ｉｎｄｅｘ条件２を満足しない場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。ＵＬ ｉｎｄｅｘ条件２及びＤＡＩ条件２を同時に満足しない場合、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定する。例えば、ＤＡＩを含み、ＵＬ ｉｎｄｅｘを含まない。或いは、ＵＬ ｉｎｄｅｘを含み、ＤＡＩを含まない。
【００７２】
上述仕様２４ａ〜２４ｅにおいて、ＤＡＩ条件２は、ＵＥの少なくとも１個のアグリゲーションキャリア（或いは全部アグリゲーションキャリア）のダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。
或いは、ＤＡＩ条件２は、ＵＥの少なくとも１個のアグリゲーションキャリア（或いは全部アグリゲーションキャリア）のＳＩＢ１ ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。
【００７３】
ＵＬ ｉｎｄｅｘ条件２は、ＵＥの少なくとも１個のアグリゲーションキャリア（或いは全部アグリゲーションキャリア）のアップリンク基準ＴＤＤアップリンク/ダウンリンク構造が、第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれる。或いは、ＵＬ ｉｎｄｅｘ条件２は、ＵＥの少なくとも１個のアグリゲーションキャリア（或いは全部アグリゲーションキャリア）のＳＩＢ１ ＴＤＤアップリンク/ダウンリンク構造が、第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれる。
【００７４】
いわゆる第１種ＴＤＤアップリンク/ダウンリンク構造は、１個の無線サブフレーム内のＤＬサブフレーム数がＵＬサブフレーム数より小さくない構成を指す。例えば、ＴＤＤアップリンク/ダウンリンク構成１〜６。いわゆる第２種ＴＤＤアップリンク/ダウンリンク構造は、１個の無線サブフレーム内のＤＬサブフレーム数がＵＬサブフレーム数より小さい構成を指す。即ち、第１種ＴＤＤアップリンク/ダウンリンク構造以外の構成を指す。例えば、ＴＤＤアップリンク/ダウンリンク構成０。
【００７５】
さらに、上述ＰＵＳＣＨをスケジューリングするＰＤＣＣＨは、ＵＬ ｇｒａｎｔを伝送するＰＤＣＣＨと、ＳＰＳ（半持続スケジューリング） ＰＵＳＣＨ活性化を示すＰＤＣＣＨを含む。ＤＣＩ ｆｏｒｍａｔは、ＤＣＩ ｆｏｒｍａｔ ０と、４とを含むが、これに限られない。
【００７６】
特に、上述仕様２４ａ〜２４ｅにおいて、ＵＬ ｉｎｄｅｘ条件２及びＤＡＩ条件２を同時に満足しない場合、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないことを、事前に設定することができる
【００７７】
他方、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定する場合、ＵＥは仕様３１で実現することができる。いずれの構成/活性化キャリアの例を挙げて、仕様３１の具体的な仕様は、以下のいずれの仕様を含むことができる
【００７８】
仕様３１ａ
上述いずれか１つのキャリアがＵＬ ｉｎｄｅｘ条件３を満足する場合（ＤＡＩ条件３を満足するかに関わらず）、当該いずれか１つのキャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。ｉｎｄｅｘ条件３を満足しない場合、当該いずれか１つのキャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００７９】
仕様３１ｂ
上述いずれか１つのキャリアがＤＡＩ条件３を満足する場合（ＵＬ ｉｎｄｅｘ条件３を満足するかに関わらず）、当該いずれか１つのキャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。ＤＡＩ条件３を満足しない場合、当該いずれか１つのキャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００８０】
仕様３１ｃ
上述いずれか１つのキャリアがＵＬ ｉｎｄｅｘ条件３のみを満足し、且つＤＡＩ条件３を満足しない場合、当該いずれか１つのキャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、当該いずれか１つのキャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００８１】
仕様３１ｄ
上述いずれか１つのキャリアがＤＡＩ条件３のみを満足し、且つＵＬ ｉｎｄｅｘ条件３を満足しない場合、当該いずれか１つのキャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、当該いずれか１つのキャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００８２】
仕様３１ｅ
上述いずれか１つのキャリアがＵＬ ｉｎｄｅｘ条件３及びＤＡＩ条件３を同時に満足する場合、当該いずれか１つのキャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。上述いずれか１つのキャリアがＵＬ ｉｎｄｅｘ条件３のみを満足し、且つＤＡＩ条件３を満足しない場合、当該いずれか１つのキャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。上述いずれか１つのキャリアがＤＡＩ条件３のみを満足し、ＵＬ ｉｎｄｅｘ条件３を満足しない場合、当該いずれか１つのキャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。上述いずれか１つのキャリアがＵＬ ｉｎｄｅｘ条件３及びＤＡＩ条件３を同時に満足しない場合、既定仕様に基づいて、当該いずれか１つのキャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定する。例えば、ＤＡＩが含まれ、ＵＬ ｉｎｄｅｘが含まれない。或いは、ＵＬ ｉｎｄｅｘが含まれ、ＤＡＩが含まれない。
【００８３】
上述仕様３１ａ〜３１ｅにおいて、ＤＡＩ条件３は、上述いずれか１つのキャリアのダウンリンク基準ＴＤＤアップリンク/ダウンリンク構造が第１種ＴＤＤアップリンク/ダウンリンク構造である場合、当該いずれか１つのキャリア上のＰＵＳＣＨをスケジューリングするＰＤＣＣＨに用いられるＤＣＩ ｆｏｒｍａｔにＤＡＩが含まれる。或いは、 ＤＡＩ条件３は、上述いずれか１つのキャリアのＳＩＢ１ ＴＤＤアップリンク/ダウンリンク構造が第１種ＴＤＤアップリンク/ダウンリンク構造である場合、当該いずれか１つのキャリア上のＰＵＳＣＨをスケジューリングするＰＤＣＣＨに用いられるＤＣＩ ｆｏｒｍａｔにＤＡＩが含まれる。
【００８４】
ＵＬ ｉｎｄｅｘ条件３は、上述いずれか１つのキャリアのアップリンク基準ＴＤＤアップリンク/ダウンリンク構造が第２種ＴＤＤアップリンク/ダウンリンク構造である場合、当該いずれか１つのキャリア上のＰＵＳＣＨをスケジューリングするＰＤＣＣＨに用いられるＤＣＩ ｆｏｒｍａｔにＵＬ ｉｎｄｅｘが含まれる。或いは、ＵＬ ｉｎｄｅｘ条件３は、上述いずれか１つのキャリアのＳＩＢ１ ＴＤＤアップリンク/ダウンリンク構造が第２種ＴＤＤアップリンク/ダウンリンク構造である場合、当該いずれか１つのキャリア上のＰＵＳＣＨをスケジューリングするＰＤＣＣＨに用いられるＤＣＩ ｆｏｒｍａｔにＵＬ ｉｎｄｅｘが含まれる。
【００８５】
いわゆる第１種ＴＤＤアップリンク/ダウンリンク構造は、１個の無線サブフレーム内のＤＬサブフレーム数がＵＬサブフレーム数より小さくない構成を指す。例えば、ＴＤＤアップリンク/ダウンリンク構成１〜６。いわゆる第２種ＴＤＤアップリンク/ダウンリンク構造は、１個の無線サブフレーム内のＤＬサブフレーム数がＵＬサブフレーム数より小さい構成を指す。即ち、第１種ＴＤＤアップリンク/ダウンリンク構造以外の構成を指す。例えば、ＴＤＤアップリンク/ダウンリンク構成０。
【００８６】
さらに、上述ＰＵＳＣＨをスケジューリングするＰＤＣＣＨは、ＵＬ ｇｒａｎｔを伝送するＰＤＣＣＨと、ＳＰＳ（半持続スケジューリング） ＰＵＳＣＨ活性化を示すＰＤＣＣＨとを含む。ＤＣＩ ｆｏｒｍａｔは、ＤＣＩ ｆｏｒｍａｔ ０と、ＤＣＩ ｆｏｒｍａｔ４を含むが、これに限られない。
【００８７】
特に、上述仕様３１ａ〜３１ｅにおいて、上述いずれか１つのキャリアがＵＬ ｉｎｄｅｘ条件３及びＤＡＩ条件３を同時に満足しない場合、当該いずれか１つのキャリア上のＰＵＳＣＨをスケジューリングするＰＤＣＣＨに用いられるＤＣＩ ｆｏｒｍａｔにＤＡＩが含まれないし、ＵＬ ｉｎｄｅｘも含まれないことを、事前に設定することができる。
【００８８】
上述仕様３１ａ〜３１ｅにおいて、現在キャリアが、本キャリアスケジューリング仕様を採用すれば、当該キャリア上のＰＵＳＣＨをスケジューリングするＰＤＣＣＨは、当該キャリア上の、当該キャリアに対応するＵＳＳにおいて伝送される。現在キャリアがキャリア間スケジューリング仕様を採用すれば、当該キャリア上のＰＵＳＣＨをスケジューリングするＰＤＣＣＨは、スケジューリングキャリア（当該キャリアのスケジューリングシグナリングを伝送するキャリア）上の、当該キャリアに対応するＵＳＳ中伝送される。
【００８９】
好ましくは、ＰＣＣが本キャリアスケジューリングのみをサポートし、且つＰＣＣにＰＵＳＣＨ伝送が存在する場合、ＵＥは、当該ＰＵＳＣＨ上でＡＣＫ/ＮＡＣＫを伝送する。ＰＣＣのＳＩＢ-１構造がＴＤＤアップリンク/ダウンリンク構造０である場合、ＰＣＣ上で、ＵＬマルチフレームスケジューリングをサポートすることができ、以及支持在ＰＣＣ上で伝送するＰＵＳＣＨにおいて、ＡＣＫ/ＮＡＣＫ有効ビットに対する制御をサポートする。在ＰＣＣのＵＥ特定領域において、スケジューリングＰＣＣ上のＰＵＳＣＨのＰＤＣＣＨに用いられるＤＣＩ ｆｏｒｍａｔに、ＵＬ ｉｎｄｅｘ及びＤＡＩが同時に含まれると常に事前に設定する。或いは高位層シグナリングにより設定する。或いは、仕様３１ｅを採用すると常に事前に設定する。
【００９０】
ＣＳＳ及びＵＳＳにおいて利用する、ＰＣＣ上のＰＵＳＣＨをスケジューリングするＰＤＣＣＨに用いられるＤＣＩ ｆｏｒｍａｔにＵＬ ｉｎｄｅｘ及びＤＡＩが含まれるかを確定する仕様は、上述定義したＣＳＳ及びＵＳＳの各種仕様の共有仕様である場合、本発明に係る実施例において、他の仕様においては、ＣＳＳ及びＵＳＳにおいて、ＰＵＳＣＨをスケジューリングするＰＤＣＣＨに用いられるＤＣＩ ｆｏｒｍａｔにＵＬ ｉｎｄｅｘ及びＤＡＩの少なくとも１つのが含まれるかを示す事前に決めた規則或いは高位層シグナリング設定情報が共有される。即ち、ＣＳＳ及びＵＳＳの場合、同様な仕様で、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。以下で詳しく説明する。
【００９１】
一方、ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する。具体的には、以下仕様のうちのいずれか１つで、ＰＣＣのＣＳＳ及び各キャリアのＵＳＳにＵＬ ｉｎｄｅｘ及びＤＡＩの少なくとも１つが含まれるかを確定する。
【００９２】
仕様４１
ＵＥは、いつもＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００９３】
仕様４２
ＵＥは、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００９４】
仕様４３
ＵＥは、ＵＬ ｉｎｄｅｘ条件及び/又はＤＡＩ条件に基づいて、ＰＵＳＣＨをスケジューリングするＰＵＣＣＨに用いられるＤＣＩ ｆｏｒｍａｔにＵＬ ｉｎｄｅｘ及びＤＡＩの少なくとも１つが含まれるかを確定する。
【００９５】
具体的には、以下いずれかの仕様で仕様４３を実施する。
【００９６】
仕様４３ａ
ＵＬ ｉｎｄｅｘ条件４を満足する場合（即ち、ＤＡＩ条件４を満足しない）、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。ＵＬ ｉｎｄｅｘ条件４を満足しない場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【００９７】
仕様４３ｂ
ＤＡＩ条件４を満足する場合（即ち、ＵＬ ｉｎｄｅｘ条件４を満足しない）、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。ＤＡＩ条件４を満足しない場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【００９８】
上述仕様４３ａ和４３ｂにおいて、ＤＡＩ条件４は、ＵＥの少なくとも１個のアグリゲーションキャリア（或いは全部アグリゲーションキャリア）のダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。
【００９９】
ＵＬ ｉｎｄｅｘ条件４は、ＵＥ の少なくとも１個のアグリゲーションキャリア（或いは全部アグリゲーションキャリア）のアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれる。
【０１００】
他方、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定する。仕様５１でＰＣＣのＣＳＳ及び各キャリアのＵＳＳにＵＬ ｉｎｄｅｘ及びＤＡＩの少なくとも１つが含まれるかを確定する。各キャリアに対し、仕様５１は、具体的に以下いずれか１つの仕様である。
【０１０１】
仕様５１ａ
当該キャリアがＵＬ ｉｎｄｅｘ条件５を満足する場合（ＤＡＩ条件５を満足するかに関わらず）、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないかを確定する。当該キャリアがＵＬ ｉｎｄｅｘ条件５を満足しない場合。当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１０２】
仕様５１ｂ
当該キャリアがＤＡＩ条件５を満足する場合（ＵＬ ｉｎｄｅｘ条件５を満足するかに関わらず）、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。当該キャリアがＤＡＩ条件５を満足しない場合、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１０３】
仕様５１ｃ
当該キャリアがＵＬ ｉｎｄｅｘ条件５のみを満足し、ＤＡＩ条件５を満足しない場合、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１０４】
仕様５１ｄ
当該キャリアがＤＡＩ条件５のみを満足し、ＵＬ ｉｎｄｅｘ条件５を満足しない場合、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１０５】
上述仕様５１ａ〜５１ｄにおいて、ＤＡＩ条件５は、当該キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれる。或いは、ＤＡＩ条件５は、当該キャリアのＳＩＢ１ ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれる。
【０１０６】
ＵＬ ｉｎｄｅｘ条件５は、当該キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれる。或いは、ＵＬ ｉｎｄｅｘ条件５は、当該キャリアのＳＩＢ１ ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれる。
【０１０７】
上述実施例において、いわゆる第１種ＴＤＤアップリンク/ダウンリンク構造は、１個の無線サブフレーム内のＤＬサブフレーム数がＵＬサブフレーム数より小さくない構成を指す。例えば、ＴＤＤアップリンク/ダウンリンク構成１〜６。いわゆる第２種ＴＤＤアップリンク/ダウンリンク構造は、１個の無線サブフレーム内のＤＬサブフレーム数がＵＬサブフレーム数より小さい構成を指す。即ち、第１種ＴＤＤアップリンク/ダウンリンク構造以外の構成を指す。例えば、ＴＤＤアップリンク/ダウンリンク構成０。
【０１０８】
さらに、上述ＰＵＳＣＨをスケジューリングするＰＤＣＣＨは、ＵＬ ｇｒａｎｔを伝送するＰＤＣＣＨと、ＳＰＳ（半持続スケジューリング） ＰＵＳＣＨ活性化を示すＰＤＣＣＨとを含む。ＤＣＩ ｆｏｒｍａｔは、ＤＣＩ ｆｏｒｍａｔ ０と、ＤＣＩ ｆｏｒｍａｔ４を含むが、これに限られない。
【０１０９】
上述実施例に基づいて、図４に示すように、本発明に係る実施例において、ＵＥ側と対応する、基地局が、キャリア間アグリゲーションの場合、ＰＤＣＣＨに用いられるＤＣＩ ｆｏｒｍａｔを確定するフローチャートは以下で説明する。
【０１１０】
ステップ４００において、基地局は、事前に決めた規則或いは根据高位層シグナリングによりＵＥに送信した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１１１】
本実施例において、いわゆる高位層シグナリングは、ＭＡＣシグナリング、ＲＲＣシグナリング等を含むことができるが、これに限られない。
【０１１２】
他方、ステップ４００の執行仕様は多様である。例えば、ＣＳＳ及びＵＳＳにおいて、ＰＵＳＣＨをスケジューリングするＰＤＣＣＨに用いられるＤＣＩ ｆｏｒｍａｔにＵＬ ｉｎｄｅｘ及びＤＡＩの少なくとも１つのが含まれるかを示す事前に決めた規則或いは高位層シグナリング設定情報が相互に独立する。即ち、基地局は、ＣＳＳ及びＵＳＳに対し、対応する事前に決めた規則ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定する必要がある。或いは、基地局は、ＣＳＳ及びＵＳＳに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定する必要があり、さらに高位層シグナリングによりＵＥに設定情報を送信して、ＵＥに当該確定結果を通知する。勿論、実際の実施する場合、ＣＳＳ及びＵＳＳにおいて、ＰＵＳＣＨをスケジューリングするＰＤＣＣＨに用いられるＤＣＩ ｆｏｒｍａｔにＵＬ ｉｎｄｅｘ及びＤＡＩの少なくとも１つのが含まれるかを示す事前に決めた規則或いは高位層シグナリング設定情報も共有できる。
【０１１３】
基地局が、事前設定する規則で、ＰＵＳＣＨをスケジューリングするＰＤＣＣＨに用いられるＤＣＩｆｏｒｍａｔにＵＬ ｉｎｄｅｘ及びＤＡＩの少なくとも１つが含まれるかを確定する仕様は、ＵＥ側と対応するため、具体てきには、ＵＥ側の関連説明を参照してください。ここでは、詳細の説明を省略する。
【０１１４】
ステップ４１０において、基地局は、上述確定結果に基づいて、ＵＥへ送信すべくＰＤＣＣＨに用いられるＤＣＩ ｆｏｒｍａｔの伝送ビット数をさらに確定し、且つ確定したＤＣＩ ｆｏｒｍａｔの伝送ビット数に基づいてＰＤＣＣＨを送信する。ここで、ＵＥのアグリゲーションキャリアに、異なるＳＩＢ-１ ＴＤＤアップリンク/ダウンリンク構造を有するキャリアが少なくとも２つが含まれる。
【０１１５】
ステップ４１０の具体的な執行仕様は、基地局は、ＤＡＩ及びＵＬ ｉｎｄｅｘが含まれるかとの確定結果に基づいて、ＰＵＳＣＨをスケジューリングするＰＤＣＣＨに用いられるＤＣＩ ｆｏｒｍａｔに含まれる有効ビット数（即ち、各種ＤＣＩ ｆｏｒｍａｔに含まれる異なる情報フィールドのビット数の和である）を確定し、且つ，当該ＰＵＳＣＨをスケジューリングするＰＤＣＣＨに用いられるＤＣＩ ｆｏｒｍａｔに含まれる有効ビット数及び/又はＵＥに送信したＰＤＣＣＨに用いられるＤＣＩ ｆｏｒｍａｔ中の各ＤＣＩ ｆｏｒｍａｔに含まれる有効ビット数に基づいて、ビットフィリング規則（詳細は背景技術を参照）に従い、ＵＥに送信したＰＤＣＣＨに用いられるＤＣＩ ｆｏｒｍａｔに対し、ビットフィリングを行い、且つビットフィリングされた各ＤＣＩ ｆｏｒｍａｔに含まれるビット数を、対応するＤＣＩ ｆｏｒｍａｔの伝送ビット数とし、及びＣＳＳ及び/又はＰＤＣＣＨを送信すべくキャリア上のＵＳＳにおいて、確定したＤＣＩ ｆｏｒｍａｔの伝送ビット数に基づいて、ＰＤＣＣＨを送信する。
【０１１６】
説明すべくのは、上述実施例の方法は、ＴＤＤキャリア及びＦＤＤキャリアアグリゲーションシナリオにも適用できるし、ＴＤＤキャリアがＰＣＣであり、且つＦＤＤキャリアがＤＬ ＨＡＲＱ ｔｉｍｉｎｇ及び/又はＵＬ ＨＡＲＱ/ｓｃｈｅｄｕｌｉｎｇ ｔｉｍｉｎｇが１個のＴＤＤアップリンク/ダウンリンク構造と対応するシナリオにも適用できる。ここで、この以上説明しない。
【０１１７】
上述実施例に基づいて、図５及び図６に示す本発明に係る実施例のＵＥを説明する。
図５Ａに示すように、ＵＥは、第１処理ユニット５０と、第２処理ユニット５１とを備える。
【０１１８】
当該第１処理ユニット５０は、事前に決めた規則或いは高位層シグナリングにより取得した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１１９】
当該第２処理ユニット５１は、上述確定結果に基づいて、現在ダウンリンクサブフレームにおける、検出しようとするＰＤＣＣＨに用いられるＤＣＩ ｆｏｒｍａｔの伝送ビット数をさらに確定し、確定したＤＣＩ ｆｏｒｍａｔの伝送ビット数に基づいて、ＰＤＣＣＨを検出する。ここで、ＵＥのアグリゲーションキャリアに、異なる ＴＤＤアップリンク/ダウンリンク構造を有するキャリアが少なくとも２つが含まれ、当該キャリアのＴＤＤアップリンク/ダウンリンク構造は、システム情報により通知される。
【０１２０】
さらに、第１処理ユニット５０は、ＣＳＳ及びユーザー装置（ＵＥ）特定サーチ空間に対し、対応する事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定するか、或いは、第１処理ユニットは、ＣＳＳ及びＵＥ特定サーチ空間に対し、対応する高位層シグナリングにより取得した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１２１】
さらに、ＣＳＳにおいて、第１処理ユニット５０は、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０１２２】
第１処理ユニット５０は、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと常に確定する。
【０１２３】
或いは、第１処理ユニット５０は、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと常に確定する。
【０１２４】
或いは、第１処理ユニット５０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１２５】
さらに、第１処理ユニット５０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０１２６】
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１２７】
或いは、第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１２８】
或いは、第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１２９】
或いは、第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１３０】
ここで、第１ＤＡＩ条件は、少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。或いは、第１ＤＡＩ条件は、主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。或いは、第１ＤＡＩ条件は、主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれる。
【０１３１】
第１ＵＬ ｉｎｄｅｘ条件は、主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれる。或いは、第１ＵＬ ｉｎｄｅｘ条件は、主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれる。
【０１３２】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０１３３】
さらに、ＵＥ特定サーチ空間において、第１処理ユニット５０は、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、以下のことを含む。
【０１３４】
全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する。
【０１３５】
或いは、各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定する。
【０１３６】
さらに、全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用する。
【０１３７】
第１処理ユニット５０は、常に、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１３８】
或いは、第１処理ユニット５０は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１３９】
或いは、第１処理ユニット５０は、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。
【０１４０】
或いは、第１処理ユニット５０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１４１】
さらに、第１処理ユニット５０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０１４２】
第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１４３】
或いは、第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１４４】
或いは、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。或いは、
【０１４５】
或いは、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１４６】
或いは、第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定する。
【０１４７】
ここで、第２ＤＡＩ条件は、少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔ中ＤＡＩ。或いは、第２ＤＡＩ条件は、少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩである。
【０１４８】
第２ＵＬ ｉｎｄｅｘ条件は、少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。或いは、第２ＵＬ ｉｎｄｅｘ条件は、少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。
【０１４９】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０１５０】
さらに、各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれ確定する場合、以下いずれか１つの仕様を採用する。
【０１５１】
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１５２】
或いは、キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１５３】
或いは、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１５４】
或いは、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１５５】
或いは、キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定する。
【０１５６】
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。
【０１５７】
第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。
【０１５８】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０１５９】
さらに、第１処理ユニット５０が前記第２ＵＬ ｉｎｄｅｘ条件及び第２ＤＡＩ条件を参照する場合、前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０１６０】
第１処理ユニット５０が前記第３ＵＬ ｉｎｄｅｘ和第３ＤＡＩ条件を参照する場合、キャリアが前記第３ＵＬ ｉｎｄｅｘ及び第３ＤＡＩ条件を同時に満足しなければ、当該キャリア上ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０１６１】
さらに、第２処理ユニット５１が、前記確定結果に基づいて、現在ダウンリンクサブフレームにおける、検出しようとするＰＤＣＣＨに用いられるＤＣＩ ｆｏｒｍａｔの伝送ビット数をさらに確定し、前記確定された検出しようとするＤＣＩ ｆｏｒｍａｔの伝送ビット数に基づいて、ＰＤＣＣＨを検出することは、具体的には、以下のようである。
【０１６２】
第２処理ユニット５１は、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、前記ＰＵＳＣＨをスケジューリングするＰＤＣＣＨに用いられるＤＣＩ ｆｏｒｍａｔに含まれる有効ビット数を確定する。
【０１６３】
第２処理ユニット５１は、前記ＰＵＳＣＨをスケジューリングするＰＤＣＣＨに用いられるＤＣＩ ｆｏｒｍａｔに含まれる有効ビット数及び/又は前記検出しようとするＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、現在ダウンリンクサブフレームにおける、検出しようとするＰＤＣＣＨに用いられるＤＣＩ ｆｏｒｍａｔに対して、ビットフィリングを行い、ビットフィリングされた各ＤＣＩ ｆｏｒｍａｔに含まれるビット数を、対応するＤＣＩ ｆｏｒｍａｔの伝送ビット数とする。
【０１６４】
第２処理ユニット５１は、ＣＳＳと、ＰＤＣＣＨを検出すべくキャリア上のＵＥ特定サーチ空間において、前記確定された検出しようとするＤＣＩ ｆｏｒｍａｔの伝送ビット数に基づいて、ＰＤＣＣＨを検出する。
【０１６５】
具体的に、第１処理ユニット５０は、プロセッサであってもよい。第２処理ユニット５１は、送受信アンテナを有する信号送受信装置であってもよい。このとき、図５Ｂに示すように、本発明に係る実施例の端末は、第１プロセッサ５００と、第１信号送受信装置５１０とを備える。
【０１６６】
当該第１プロセッサ５００は、事前に決めた規則或いは高位層シグナリングにより取得した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、上述確定結果に基づいて、現在ダウンリンクサブフレームにおける、検出しようとするＰＤＣＣＨに用いられるＤＣＩ ｆｏｒｍａｔの伝送ビット数をさらに確定する。
【０１６７】
当該第１信号送受信装置５１０は、確定したＤＣＩ ｆｏｒｍａｔの伝送ビット数に基づいて、ＰＤＣＣＨを検出する。ここで、ＵＥのアグリゲーションキャリアに、異なる ＴＤＤアップリンク/ダウンリンク構造を有するキャリアが少なくとも２つが含まれ、当該キャリアのＴＤＤアップリンク/ダウンリンク構造は、システム情報により通知される。
【０１６８】
さらに、第１プロセッサ５００は、ＣＳＳ和ユーザー装置（ＵＥ）特定サーチ空間に対し、対応する事前に決めた規則それぞれに基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定し、或いは、第１プロセッサ５００は、ＣＳＳ及びＵＥ特定サーチ空間に対し、に対し、対応する高位層シグナリングにより取得した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１６９】
さらに、ＣＳＳにおいて、第１プロセッサ５００は、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０１７０】
第１プロセッサ５００は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１７１】
或いは、第１プロセッサ５００は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１７２】
或いは、第１プロセッサ５００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１７３】
さらに、第１プロセッサ５００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０１７４】
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１７５】
或いは、第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１７６】
或いは、第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１７７】
或いは、第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１７８】
ここで、第１ＤＡＩ条件は、少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。或いは、第１ＤＡＩ条件は、主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。或いは、第１ＤＡＩ条件は、主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。
【０１７９】
第１ＵＬ ｉｎｄｅｘ条件は、主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。或いは、第１ＵＬ ｉｎｄｅｘ条件は、主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。
【０１８０】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０１８１】
さらに、ＵＥ特定サーチ空間において、第１プロセッサ５００は、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、以下のようである。
【０１８２】
全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する。
【０１８３】
或いは、各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する。
【０１８４】
さらに、全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用する。
【０１８５】
第１プロセッサ５００は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１８６】
或いは、第１プロセッサ５００は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１８７】
或いは、第１プロセッサ５００は、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。或いは、
【０１８８】
第１プロセッサ５００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０１８９】
さらに、第１プロセッサ５００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０１９０】
第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１９１】
或いは、第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１９２】
或いは、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０１９３】
或いは、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０１９４】
或いは、第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定する。
【０１９５】
ここで、第２ＤＡＩ条件は、少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩである。或いは、第２ＤＡＩ条件は、少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩである。
【０１９６】
第２ＵＬ ｉｎｄｅｘ条件は、少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。或いは、第２ＵＬ ｉｎｄｅｘ条件は、少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。
【０１９７】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０１９８】
さらに、各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する場合、以下いずれか１つの仕様を採用する。
【０１９９】
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２００】
或いは、キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２０１】
或いは、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２０２】
或いは、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２０３】
或いは、キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定する。
【０２０４】
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。
【０２０５】
第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。
【０２０６】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０２０７】
さらに、第１プロセッサ５００が前記第２ＵＬ ｉｎｄｅｘ条件及び第２ＤＡＩ条件を参照する場合、前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０２０８】
第１プロセッサ５００が前記第３ＵＬ ｉｎｄｅｘ和第３ＤＡＩ条件を参照する場合、キャリアが前記第３ＵＬ ｉｎｄｅｘ及び第３ＤＡＩ条件を同時に満足しなければ、当該キャリア上ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０２０９】
さらに、第１信号送受信装置５１０が、前記確定結果に基づいて、現在ダウンリンクサブフレームにおける、検出しようとするＰＤＣＣＨに用いられるＤＣＩ ｆｏｒｍａｔの伝送ビット数をさらに確定し、前記確定された検出しようとするＤＣＩ ｆｏｒｍａｔの伝送ビット数に基づいて、ＰＤＣＣＨを検出することは、具体的にいかのようである。
【０２１０】
第１プロセッサ５００は、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、前記ＰＵＳＣＨをスケジューリングするＰＤＣＣＨに用いられるＤＣＩ ｆｏｒｍａｔに含まれる有効ビット数を確定する。
【０２１１】
第１プロセッサ５００は、前記ＰＵＳＣＨをスケジューリングするＰＤＣＣＨに用いられるＤＣＩ ｆｏｒｍａｔに含まれる有効ビット数及び/又は前記検出しようとするＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、現在ダウンリンクサブフレームにおける、検出しようとするＰＤＣＣＨに用いられるＤＣＩ ｆｏｒｍａｔに対して、ビットフィリングを行い、ビットフィリングされた各ＤＣＩ ｆｏｒｍａｔに含まれるビット数を、対応するＤＣＩ ｆｏｒｍａｔの伝送ビット数とする。
【０２１２】
第１信号送受信装置５１０は、ＣＳＳと、ＰＤＣＣＨを検出すべくキャリア上のＵＥ特定サーチ空間において、前記確定された検出しようとするＤＣＩ ｆｏｒｍａｔの伝送ビット数に基づいて、ＰＤＣＣＨを検出する。
【０２１３】
図６Ａに示すように、基地局は、第１制御ユニット６０と、第２制御ユニット６１とを備える。
【０２１４】
当該第１制御ユニット６０，事前に決めた規則或いは高位層シグナリングによりＵＥに送信した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０２１５】
当該第２制御ユニット６１は、上述確定結果に基づいて、ＵＥへ送信すべくＰＤＣＣＨに用いられるＤＣＩ ｆｏｒｍａｔの伝送ビット数をさらに確定し、且つ確定したＤＣＩ ｆｏｒｍａｔの伝送ビット数に基づいて、上述ＰＤＣＣＨを送信する。ここで、ＵＥのアグリゲーションキャリアに、異なる ＴＤＤアップリンク/ダウンリンク構造を有するキャリアが少なくとも２つが含まれ、当該異なるＴＤＤアップリンク/ダウンリンク構造は、システム情報により通知される。
【０２１６】
さらに、第１制御ユニット６０は、ＣＳＳ及びＵＥ特定サーチ空間に対し、対応する事前に決めた規則それぞれに基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。或いは、第１制御ユニット６０は、ＣＳＳ及びＵＥ特定サーチ空間に対し、対応する高位層シグナリングによりＵＥに送信した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０２１７】
さらに、ＣＳＳにおいて、第１制御ユニット６０は、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０２１８】
第１制御ユニット６０は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２１９】
或いは、第１制御ユニット６０は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２２０】
或いは、第１制御ユニット６０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０２２１】
さらに、第１制御ユニット６０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０２２２】
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２２３】
或いは、第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２２４】
或いは、第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２２５】
或いは、第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２２６】
ここで、第１ＤＡＩ条件は、ＵＥの少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。或いは、第１ＤＡＩ条件は、ＵＥの主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。或いは、第１ＤＡＩ条件は、ＵＥの主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。
【０２２７】
第１ＵＬ ｉｎｄｅｘ条件は、ＵＥ の主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。或いは、第１ＵＬ ｉｎｄｅｘ条件は、ＵＥ の主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。
【０２２８】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０２２９】
さらに、ＵＥ特定サーチ空間において、第１制御ユニット６０は、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを判断する場合、以下のようである。
【０２３０】
ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する。
【０２３１】
或いは、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する。
【０２３２】
さらに、ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用する。
【０２３３】
第１制御ユニット６０は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２３４】
或いは、第１制御ユニット６０は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２３５】
或いは、第１制御ユニット６０は、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。、
【０２３６】
或いは、第１制御ユニット６０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０２３７】
さらに、第１制御ユニット６０は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０２３８】
第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２３９】
或いは、第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２４０】
或いは、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２４１】
或いは、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２４２】
或いは、第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定する。
【０２４３】
ここで、第２ＤＡＩ条件は、ＵＥの少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩである。或いは、第２ＤＡＩ条件は、ＵＥの少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩである。
【０２４４】
第２ＵＬ ｉｎｄｅｘ条件は、ＵＥの少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。或いは、第２ＵＬ ｉｎｄｅｘ条件は、ＵＥの少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。
【０２４５】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０２４６】
さらに、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する場合、以下いずれか１つの仕様を採用する。
【０２４７】
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２４８】
或いは、キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２４９】
或いは、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２５０】
或いは、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２５１】
或いは、キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定する。
【０２５２】
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。
【０２５３】
第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。
【０２５４】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０２５５】
さらに、第１制御ユニット６０が前記第２ＵＬ ｉｎｄｅｘ条件及び第２ＤＡＩ条件を参照する場合、前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０２５６】
第１制御ユニット６０が前記第３ＵＬ ｉｎｄｅｘ和第３ＤＡＩ条件を参照する場合、キャリアが前記第３ＵＬ ｉｎｄｅｘ及び第３ＤＡＩ条件を同時に満足しなければ、当該キャリア上ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０２５７】
さらに、第２制御ユニット６１が、前記確定結果に基づいて、前記ＵＥに送信したＰＤＣＣＨに用いられるＤＣＩ ｆｏｒｍａｔの伝送ビット数をさらに確定し、前記ＤＣＩ ｆｏｒｍａｔの伝送ビット数に基づいて、前記ＰＤＣＣＨを送信することは、以下のようである。
【０２５８】
第２制御ユニット６１は、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、ＰＵＳＣＨをスケジューリングするＰＤＣＣＨに用いられるＤＣＩ ｆｏｒｍａｔに含まれる有効ビット数を確定する。 
【０２５９】
第２制御ユニット６１は、前記ＰＵＳＣＨをスケジューリングするＰＤＣＣＨに用いられるＤＣＩ ｆｏｒｍａｔに含まれる有効ビット数及び/又はＵＥに送信したＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、ＵＥに送信したＰＤＣＣＨに用いられるＤＣＩ ｆｏｒｍａｔに対してビットフィリングを行い、且つビットフィリングされた各ＤＣＩ ｆｏｒｍａｔに含まれるビット数を、対応するＤＣＩ ｆｏｒｍａｔの伝送ビット数とする。
【０２６０】
第２制御ユニット６１は、ＣＳＳ及び/又はＰＤＣＣＨを送信すべくキャリア上のＵＥ特定サーチ空間において、確定したＤＣＩ ｆｏｒｍａｔの伝送ビット数に基づいて、ＰＤＣＣＨを送信する。
【０２６１】
具体的に、第１制御ユニット６０は、プロセッサであってもよい。第２制御ユニット６１は、送受信アンテナを有する信号送受信装置であってもよい。この場合、図６Ｂに示すように、基地局は、第２プロセッサ６００と、第２信号送受信装置６１０とを備える。
【０２６２】
当該第２プロセッサ６００は、事前に決めた規則或いは高位層シグナリングによりＵＥに送信した設定情報に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。上述確定結果に基づいて、ＵＥへ送信すべくＰＤＣＣＨに用いられるＤＣＩ ｆｏｒｍａｔの伝送ビット数をさらに確定する。
【０２６３】
当該第２信号送受信装置６１０は、確定したＤＣＩ ｆｏｒｍａｔの伝送ビット数に基づいて、上述ＰＤＣＣＨを送信する。ここで、ＵＥのアグリゲーションキャリアに、異なる ＴＤＤアップリンク/ダウンリンク構造を有するキャリアが少なくとも２つが含まれ、当該異なるＴＤＤアップリンク/ダウンリンク構造は、システム情報により通知される。
【０２６４】
さらに、第２プロセッサ６００は、ＣＳＳ及びＵＥ特定サーチ空間に対し、対応する事前に決めた規則それぞれに基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。或いは、第１制御ユニットは、ＣＳＳ及びＵＥ特定サーチ空間に対し、対応する高位層シグナリングによりＵＥに送信した設定情報それぞれに基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０２６５】
さらに、ＣＳＳにおいて、第２プロセッサ６００は、事前に決めた規則に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０２６６】
第２プロセッサ６００は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２６７】
或いは、第２プロセッサ６００は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２６８】
或いは、第２プロセッサ６００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０２６９】
さらに、第２プロセッサ６００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０２７０】
第１ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２７１】
或いは、第１ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２７２】
或いは、第１ＵＬ ｉｎｄｅｘ条件のみを満足し、且つ第１ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２７３】
或いは、第１ＤＡＩ条件のみを満足し、且つ第１ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２７４】
ここで、第１ＤＡＩ条件は、ＵＥの少なくとも１個のアグリゲーションキャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。或いは、第１ＤＡＩ条件は、ＵＥの主キャリアのダウンリンク基準ＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。或いは、第１ＤＡＩ条件は、ＵＥの主キャリアの、システム情報により通知されるＴＤＤアップリンク/ダウンリンク構造が第１種ＴＤＤアップリンク/ダウンリンク構造である場合、ＰＵＳＣＨをスケジューリングするＰＤＣＣＨに用いられるＤＣＩ ｆｏｒｍａｔにＤＡＩが含まれるものである。
【０２７５】
第１ＵＬ ｉｎｄｅｘ条件は、ＵＥ の主キャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。或いは、第１ＵＬ ｉｎｄｅｘ条件は、ＵＥ の主キャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。
【０２７６】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０２７７】
さらに、ＵＥ特定サーチ空間において、第２プロセッサ６００は、事前に決めた規則に基づいて、ＰＵＳＣＨをスケジューリングするＰＤＣＣＨに用いられるＤＣＩフォーマット ｆｏｒｍａｔにＵＬ ｉｎｄｅｘ及びＤＡＩの少なくとも１つが含まれるかを確定する場合、以下のようである。
【０２７８】
ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する。
【０２７９】
或いは、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する。
【０２８０】
さらに、ＵＥ全部のアグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを一括的に確定する場合、以下いずれか１つの仕様を採用する。
【０２８１】
第２プロセッサ６００は、常にＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２８２】
或いは、第２プロセッサ６００は、常にＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２８３】
或いは、第２プロセッサ６００は、常にＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。
【０２８４】
或いは、第２プロセッサ６００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する。
【０２８５】
さらに、第２プロセッサ６００は、ＵＬ ｉｎｄｅｘ条件及び/又はＤＡＩ条件に基づいて、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかを確定する場合、以下いずれか１つの仕様を採用する。
【０２８６】
第２ＵＬ ｉｎｄｅｘ条件を満足すれば、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＵＬ ｉｎｄｅｘ条件を満足しなければＰＵＳＣＨをスケジューリングするＰＤＣＣＨに用いられるＤＣＩ ｆｏｒｍａｔにＤＡＩが含まれ、ＵＬ ｉｎｄｅｘが含まれない。
【０２８７】
或いは、第２ＤＡＩ条件を満足すれば、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２８８】
或いは、第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２８９】
或いは、第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２９０】
或いは、第２ＵＬ ｉｎｄｅｘ条件及び第２ＤＡＩ条件を同時に満足すれば、ＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。第２ＵＬ ｉｎｄｅｘ条件のみを満足し、且つ第２ＤＡＩ条件を満足しなければ、ＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。第２ＤＡＩ条件のみを満足し、且つ第２ＵＬ ｉｎｄｅｘ条件を満足しなければ、ＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。第２ＵＬ ｉｎｄｅｘ条件及び第２ＤＡＩ条件を満足しなければ、既定仕様に基づいて、ＰＵＳＣＨをスケジューリングするＰＤＣＣＨに用いられるＤＣＩ ｆｏｒｍａｔにＤＡＩとＵＬ ｉｎｄｅｘのうちの１つのビットフィールドが含まれると確定する。
【０２９１】
ここで、第２ＤＡＩ条件は、ＵＥの少なくとも１個のアグリゲーションキャリアのダウンリンク基準ＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩである。或いは、第２ＤＡＩ条件は、ＵＥの少なくとも１個のアグリゲーションキャリアの、システム情報により通知されるＴＤＤアップリンク/ダウンリンク構造が、第１種ＴＤＤアップリンク/ダウンリンク構造である場合、ＰＵＳＣＨをスケジューリングするＰＤＣＣＨに用いられるＤＣＩ ｆｏｒｍａｔのＤＡＩである。
【０２９２】
第２ＵＬ ｉｎｄｅｘ条件は、ＵＥの少なくとも１個のアグリゲーションキャリアのアップリンク基準ＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。或いは、第２ＵＬ ｉｎｄｅｘ条件は、ＵＥの少なくとも１個のアグリゲーションキャリアの、システム情報により通知されるＴＤＤアップリンク/ダウンリンク構造が第２種ＴＤＤアップリンク/ダウンリンク構造である場合、ＰＵＳＣＨをスケジューリングするＰＤＣＣＨに用いられるＤＣＩ ｆｏｒｍａｔにＵＬ ｉｎｄｅｘが含まれるものである。
【０２９３】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０２９４】
さらに、ＵＥの各アグリゲーションキャリアに対し、ＰＵＳＣＨをスケジューリングするＰＤＣＣＨに用いられるＤＣＩ ｆｏｒｍａｔに、ＵＬ ｉｎｄｅｘ及びＤＡＩの少なくとも１つが含まれるかをそれぞれに確定する場合、以下いずれか１つの仕様を採用する。
【０２９５】
キャリアが第３ＵＬ ｉｎｄｅｘ条件を満足すれば、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２９６】
或いは、キャリアが第３ＤＡＩ条件を満足すれば、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２９７】
或いは、キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。他の場合、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。
【０２９８】
或いは、キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。他の場合、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。
【０２９９】
或いは、キャリアが第３ＵＬ ｉｎｄｅｘ条件及び第３ＤＡＩ条件を同時に満足すれば、当該キャリア上のＰＵＳＣＨをスケジューリングするＰＤＣＣＨに用いられるＤＣＩ ｆｏｒｍａｔに、ＵＬ ｉｎｄｅｘ及びＤＡＩが同時に含まれると確定する。キャリアが第３ＵＬ ｉｎｄｅｘ条件のみを満足し、且つ第３ＤＡＩ条件を満足しなければ、当該キャリア上のＰＵＳＣＨをスケジューリングするＰＤＣＣＨに用いられるＤＣＩ ｆｏｒｍａｔにＵＬ ｉｎｄｅｘが含まれ、ＤＡＩが含まれないと確定する。キャリアが第３ＤＡＩ条件のみを満足し、且つ第３ＵＬ ｉｎｄｅｘ条件を満足しなければ、当該キャリア上のＰＵＳＣＨをスケジューリングするＰＤＣＣＨに用いられるＤＣＩ ｆｏｒｍａｔにＤＡＩが含まれ、ＵＬ ｉｎｄｅｘが含まれないと確定する。キャリアが第３ＵＬ ｉｎｄｅｘ条件及び第３ＤＡＩ条件を同時に満足しなければ、既定仕様に基づいて、当該キャリア上のＰＵＳＣＨをスケジューリングするＰＤＣＣＨに用いられるＤＣＩ ｆｏｒｍａｔにＤＡＩ和ＵＬ ｉｎｄｅｘのうちの１つのビットフィールドが含まれると確定する。
【０３００】
ここで、第３ＤＡＩ条件は、キャリアのダウンリンク基準ＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。或いは、第３ＤＡＩ条件は、キャリアの、システム情報により通知されるＴＤＤアップリンク/ダウンリンク構造が第１種ＴＤＤアップリンク/ダウンリンク構造である場合、当該キャリア上のＰＵＳＣＨをスケジューリングするＰＤＣＣＨに用いられるＤＣＩ ｆｏｒｍａｔにＤＡＩが含まれるものである。
【０３０１】
第３ＵＬ ｉｎｄｅｘ条件は、キャリアのアップリンク基準ＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。或いは、第３ＵＬ ｉｎｄｅｘ条件は、キャリアの、システム情報により通知されるＴＤＤアップリンク/ダウンリンク構造が第２種ＴＤＤアップリンク/ダウンリンク構造である場合、当該キャリア上のＰＵＳＣＨをスケジューリングするＰＤＣＣＨに用いられるＤＣＩ ｆｏｒｍａｔにＵＬ ｉｎｄｅｘが含まれるものである。
【０３０２】
前記第１種ＴＤＤアップリンク/ダウンリンク構造は、１個の無線フレームにおけるダウンリンクサブフレーム数がアップリンクサブフレーム数より小さくないＴＤＤアップリンク/ダウンリンク構造である。前記第２種ＴＤＤアップリンク/ダウンリンク構造は、１個の無線フレームにおけるダウンリンクサブフレーム数がアップリンクサブフレーム数より小さいＴＤＤアップリンク/ダウンリンク構造である。
【０３０３】
さらに、第２プロセッサ６００が前記第２ＵＬ ｉｎｄｅｘ条件及び第２ＤＡＩ条件を参照する場合、前記第２ＵＬ ｉｎｄｅｘ条件及び第２ＤＡＩ条件を同時に満足しなければ、ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０３０４】
第２プロセッサ６００が前記第３ＵＬ ｉｎｄｅｘ和第３ＤＡＩ条件を参照する場合、キャリアが前記第３ＵＬ ｉｎｄｅｘ及び第３ＤＡＩ条件を同時に満足しなければ、当該キャリア上ＰＵＳＣＨをスケジューリングするＰＤＣＣＨに用いられるＤＣＩ ｆｏｒｍａｔにＤＡＩが含まれないし、ＵＬ ｉｎｄｅｘも含まれないとさらに確定する。
【０３０５】
さらに、第２プロセッサ６００は、前記ＰＵＳＣＨをスケジューリングするＰＤＣＣＨに用いられるＤＣＩ ｆｏｒｍａｔにＵＬ ｉｎｄｅｘ及びＤＡＩの少なくとも１つが含まれるかとの確定結果に基づいて、ＰＵＳＣＨをスケジューリングするＰＤＣＣＨに用いられるＤＣＩ ｆｏｒｍａｔに含まれる有効ビット数を確定する。 
【０３０６】
第２プロセッサ６００は、前記ＰＵＳＣＨをスケジューリングするＰＤＣＣＨに用いられるＤＣＩ ｆｏｒｍａｔに含まれる有効ビット数及び/又はＵＥに送信したＰＤＣＣＨに用いられるＤＣＩ ｆｏｒｍａｔ中の各ＤＣＩ ｆｏｒｍａｔに含まれる有効ビット数に基づいて、既定のビットフィリング規則に従って、ＵＥに送信したＰＤＣＣＨに用いられるＤＣＩ ｆｏｒｍａｔに対してビットフィリングを行い、且つビットフィリングされた各ＤＣＩ ｆｏｒｍａｔに含まれるビット数を、対応するＤＣＩ ｆｏｒｍａｔの伝送ビット数とする。
【０３０７】
第２信号送受信装置６１０は、ＣＳＳ及び/又はＰＤＣＣＨを送信すべくキャリア上のＵＥ特定サーチ空間において、確定したＤＣＩ ｆｏｒｍａｔの伝送ビット数に基づいて、ＰＤＣＣＨを送信する。
【０３０８】
本発明に係る実施例にいれば、異なるＴＤＤアップリンク/ダウンリンク構造を有するキャリアをアグリゲーションしたＬＴＥ-Ａ ＣＡ ＵＥは、事前に決めた規則或いは高位層シグナリング設定情報に基づいてＰＵＳＣＨをスケジューリングするＰＤＣＣＨに用いられるＤＣＩ ｆｏｒｍａｔにＤＡＩ及びＵＬ ｉｎｄｅｘが含まれるかを確定し、ＣＳＳ及びＵＳＳに対してそれぞれ独立確定する。これにより、ＣＳＳにおいて伝送するＤＣＩサイズが変わらないように確保し、セル共通情報の正常伝送を確保する同時に、ＵＳＳにおいて、実のニーズに応じて、ＤＣＩの具体的なビットフィールドを合理的に確定し、ＵＬマルチフレームスケジューリング及び/又はＡＣＫ/ＮＡＣＫの、ＰＵＳＣＨ上のリソースオーバーヘッドに対する制御をサポートする。
【０３０９】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０３１０】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたはいは複数のフロー及び／またはブロック図における一つまたはいは複数のブロックに指定する機能を実現する。
【０３１１】
これらのコンピュータプログラム指令は又、コンピュータまたはいは他のプログラム可能なデータ処理装置を特定仕様で動作させるコンピュータ読取記憶装置に記憶できる。これによって、指令を含む装置は当該コンピュータ読取記憶装置内の指令を実行でき、フロー図における一つまたはいは複数のフロー及び／またはブロック図における１つまたはいは複数のブロックに指定する機能を実現する。
【０３１２】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実行することによって、関連の処理を実現し、コンピュータまたはいは他のプログラム可能な設備において実行される指令によって、フロー図における一つまたはいは複数のフロー及び／またはブロック図における一つまたはいは複数のブロックに指定する機能を実現する。  
【０３１３】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０３１４】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０３１５】
５０  第１処理ユニット
５１  第２処理ユニット
５００  第１プロセッサ
５１０  第１信号送受信装置
６０  第１制御ユニット
６１  第２制御ユニット
６００  第２プロセッサ
６１０  第２信号送受信装置
【図１】
0006009072.tif 000003
【図２】
0006009072.tif 000004
【図３】
0006009072.tif 000005
【図４】
0006009072.tif 000006
【図５Ａ】
0006009072.tif 000007
【図５Ｂ】
0006009072.tif 000008
【図６Ａ】
0006009072.tif 000009
【図６Ｂ】
0006009072.tif 000010